(57)【特許請求の範囲】
【請求項１】
下記を備える無線通信システムにおける装置：
制御情報に関する変調シンボルを生成し、拡散符号を使用して前記制御情報に関する前記変調シンボルを拡散して、前記変調シンボルをＬ回、繰り返して、Ｌ個の繰り返された変調シンボルを、前記拡散符号のＬ個のチップと乗算することにより、Ｌ個の拡散された変調シンボルを得て、Ｌは、前記拡散符号の長さであり、前記Ｌ個の拡散された変調シンボルと伝送に使用される連続する複数サブキャリアの集合とに基づいて、少なくとも１つのＳＣ−ＦＤＭＡシンボルを生成するように動作するプロセッサ；および、
前記プロセッサに結合されたメモリ。
【請求項２】
請求項１記載の装置、この装置において、
前記プロセッサは、伝送のために少なくとも２つの送信機によって使用される少なくとも１つのシンボル周期にわたって拡散することを実行するように動作する。
【請求項３】
請求項１記載の装置、この装置において、
前記プロセッサは、スクランブル符号を使用してスクランブルを実行するように動作する。
【請求項４】
異なるセクタには、異なるスクランブル符号が割り当てられる請求項３に記載の装置。
【請求項５】
請求項１記載の装置、この装置において、
前記プロセッサは、複数のシンボルにまたがって拡散することを実行するように動作する。
【請求項６】
請求項１記載の装置、この装置において、
前記プロセッサは、前記Ｌ個の拡散された変調シンボルに基づいて、Ｌ個のＳＣ−ＦＤＭＡシンボルを生成するように動作する。
【請求項７】
請求項１記載の装置、この装置において、
前記プロセッサは、ＳＣ−ＦＤＭＡシンボルを生成し、前記ＳＣ−ＦＤＭＡシンボルをＬ回、繰り返し、Ｌ回繰り返されたＳＣ−ＦＤＭＡシンボルを、前記拡散符号の前記Ｌ個のチップと乗算するように動作する。
【請求項８】
前記プロセッサは、複数のサンプルにまたがって拡散することを実行するように動作する請求項１に記載の装置。
【請求項９】
請求項１記載の装置、この装置において、
前記プロセッサは、前記Ｌ個の拡散された変調シンボルに基づいて１個のＳＣ−ＦＤＭＡシンボルを生成するように動作する。
【請求項１０】
請求項１記載の装置、この装置において、
前記プロセッサは、複数のシンボルと複数のサンプルの両方にまたがって拡散することを実行するように動作する。
【請求項１１】
請求項１記載の装置、この装置において、
前記プロセッサは、前記Ｌ個の拡散された変調シンボルに基づいて、少なくとも２つのＳＣ−ＦＤＭＡシンボルを生成するように動作する。
【請求項１２】
前記プロセッサは、複数のサブキャリアにまたがって拡散することを実行するように動作する請求項１に記載の装置。
【請求項１３】
少なくとも１つの他の拡散符号は、いずれの送信機にも割り当てられず、干渉推定のために予約される請求項１に記載の装置。
【請求項１４】
請求項１記載の装置、この装置において、
前記プロセッサは、少なくとも２つのタイプのデータのための変調シンボルを生成し、前記少なくとも２つのタイプのデータのうち少なくとも１つのタイプのデータに関して拡散することを実行するように動作する。
【請求項１５】
請求項１記載の装置、この装置において、
前記プロセッサは、トラフィックデータおよび制御情報に関する変調シンボルを生成し、制御情報に関して拡散することを実行するように動作する。
【請求項１６】
請求項１記載の装置、この装置において、
前記プロセッサは、少なくとも２つの異なる持続時間を有するＳＣ−ＦＤＭＡシンボルを生成するように動作する。
【請求項１７】
請求項１記載の装置、この装置において、
前記プロセッサは、トラフィックデータおよび制御情報に関する変調シンボルを生成し、トラフィックデータに関して第１の持続時間を有するＳＣ−ＦＤＭＡシンボルを生成し、制御情報に関して第２の持続時間を有するＳＣ−ＦＤＭＡシンボルを生成するように動作し、前記第２の持続時間は、前記第１の持続時間と比べて、より短い、またはより長い。
【請求項１８】
請求項１記載の装置、この装置において、
前記プロセッサは、トラフィックデータおよびパイロットに関する変調シンボルを生成し、トラフィックデータに関して第１の持続時間を有するＳＣ−ＦＤＭＡシンボルを生成し、パイロットに関して第２の持続時間を有するＳＣ−ＦＤＭＡシンボルを生成するように動作し、前記第２の持続時間は、前記第１の持続時間と比べて、より短い、またはより長い。
【請求項１９】
請求項１記載の装置、この装置において、
前記プロセッサは、拡散することなしに送信されるデータに関して第１の持続時間を有するＳＣ−ＦＤＭＡシンボルを生成し、拡散することを使用して送信されるデータに関して第２の持続時間を有するＳＣ−ＦＤＭＡシンボルを生成するように動作し、前記第２の持続時間は、前記第１の持続時間と比べて、より短い、またはより長い。
【請求項２０】
さらに下記を備える請求項１記載の装置：
周波数ホッピングパターンに基づいて、異なるタイムスロットにおける伝送のために使用すべきサブキャリアの異なる集合を決定するように動作するコントローラ。
【請求項２１】
下記を備える無線通信のための方法：
制御情報に関する変調シンボルを生成すること；
拡散符号を使用して前記制御情報に関する前記変調シンボルを拡散して、前記変調シンボルをＬ回、繰り返して、Ｌ個の繰り返された変調シンボルを、前記拡散符号のＬ個のチップと乗算することにより、Ｌ個の拡散された変調シンボルを得ること、ここにおいて、Ｌは、前記拡散符号の長さである；および、
前記Ｌ個の拡散された変調シンボルと伝送に使用される連続する複数サブキャリアの集合とに基づいて、少なくとも１つのＳＣ−ＦＤＭＡシンボルを生成すること。
【請求項２２】
さらに下記を備える請求項２１に記載の方法：
スクランブル符号を使用してスクランブルを実行すること。
【請求項２３】
請求項２１に記載の方法、ここにおいて、
前記拡散することは、下記を備える：
複数のシンボルにまたがって、または複数のサンプルにまたがって、または複数のサブキャリアにまたがって、または、それらの組み合わせにまたがって、前記拡散符号を使用して前記変調シンボルを拡散すること。
【請求項２４】
請求項２１に記載の方法、ここにおいて、
前記拡散することは、下記を備える：
伝送される少なくとも２つのタイプのデータのうち少なくとも１つのタイプのデータに関して、前記拡散符号を使用して前記変調シンボルを拡散すること。
【請求項２５】
さらに下記を備える請求項２１に記載の方法：
伝送される少なくとも２つのタイプのデータに関して少なくとも２つの異なる持続時間を有するＳＣ−ＦＤＭＡシンボルを生成すること。
【請求項２６】
下記を備える無線通信における装置：
制御情報に関する変調シンボルを生成するための手段；
拡散符号を使用して前記制御情報に関する前記変調シンボルを拡散して、前記変調シンボルをＬ回、繰り返して、Ｌ個の繰り返された変調シンボルを、前記拡散符号のＬ個のチップと乗算することにより、Ｌ個の拡散された変調シンボルを得るための手段、ここにおいて、Ｌは、前記拡散符号の長さである；および、
前記Ｌ個の拡散された変調シンボルと伝送に使用される連続する複数サブキャリアの集合とに基づいて、少なくとも１つのＳＣ−ＦＤＭＡシンボルを生成するための手段。
【請求項２７】
さらに下記を備える請求項２６記載の装置：
スクランブル符号を使用してスクランブルを実行するための手段。
【請求項２８】
請求項２６記載の装置、この装置において、
前記拡散するための手段は、下記を備える：
複数のシンボルにまたがって、または複数のサンプルにまたがって、または複数のサブキャリアにまたがって、または、それらの組み合わせにまたがって、前記拡散符号を使用して前記変調シンボルを拡散するための手段。
【請求項２９】
請求項２６に記載の装置、この装置において、
前記拡散するための手段は、下記を備える：
伝送される少なくとも２つのタイプのデータのうち少なくとも１つのタイプのデータに関して、前記拡散符号を使用して前記変調シンボルを拡散するための手段。
【請求項３０】
下記をさらに備える請求項２６に記載の装置：
伝送される少なくとも２つのタイプのデータに関して少なくとも２つの異なる持続時間を有するＳＣ−ＦＤＭＡシンボルを生成するための手段。
【請求項３１】
下記を備える無線通信システムにおける装置：
制御情報を備える少なくとも１つのＳＣ−ＦＤＭＡシンボルを受信し、前記少なくとも１つの受信されたＳＣ−ＦＤＭＡシンボルに対してＳＣ−ＦＤＭＡ復調を実行し、少なくとも１つのシンボル周期における伝送に使用される連続する複数サブキャリアの集合から受信されたシンボルを得て、拡散符号のＬ個のチップを使用して前記受信されたシンボルを逆拡散して、前記制御情報に関する１つの変調シンボルを復元するように動作するプロセッサ、ここにおいて、Ｌは、前記拡散符号の長さである；および、
前記プロセッサに結合されたメモリ。
【請求項３２】
請求項３１記載の装置、この装置において、
複数の送信機が、伝送のために前記送信機に割り当てられた前記少なくとも１つのシンボル周期において、拡散することを使用してＳＣ−ＦＤＭＡシンボルを伝送する。
【請求項３３】
請求項３１記載の装置、この装置において、
前記プロセッサは、複数のシンボルにまたがって、または複数のサンプルにまたがって、または複数のサブキャリアにまたがって、または、それらの組み合わせにまたがって逆拡散を実行するように動作する。
【請求項３４】
前記プロセッサは、スクランブル符号を使用して逆スクランブルを実行するように動作する請求項３１に記載の装置。
【請求項３５】
請求項３１記載の装置、この装置において、
前記プロセッサは、いずれの送信機にも割り当てられていない少なくとも１つの他の拡散符号に基づいて、干渉推定値を導き出すように動作する。
【請求項３６】
前記プロセッサは、前記干渉推定値に基づいてデータ検出を実行するように動作する請求項３５に記載の装置。
【請求項３７】
請求項３５記載の装置、この装置において、
前記プロセッサは、チャネル推定値を導き出し、前記チャネル推定値および前記干渉推定値に基づいてデータ検出を実行するように動作する。
【請求項３８】
請求項３１に記載の装置、この装置において、
前記プロセッサは、複数のアンテナに関する逆拡散されたシンボルを取得し、前記複数のアンテナにわたる前記逆拡散されたシンボルを組み合わせ、前記複数のアンテナにわたる組み合わせの後に、データ検出を実行するように動作する。
【請求項３９】
請求項３１に記載の装置、この装置において、
前記プロセッサは、シンボル周期において少なくとも２つの送信機によって拡散することなしに伝送されたＳＣ−ＦＤＭＡシンボルに関する受信側空間処理を実行するように動作する。
【請求項４０】
さらに下記を備える請求項３１記載の装置：
周波数ホッピングパターンに基づき、異なるタイムスロットにおける伝送のために使用されるサブキャリアの異なる集合を決定するように動作するコントローラ。
【請求項４１】
下記を備える無線通信のための方法：
前記制御情報を備える少なくとも１つのＳＣ−ＦＤＭＡシンボルを受信すること；
前記少なくとも１つの受信されたＳＣ−ＦＤＭＡシンボルに対してＳＣ−ＦＤＭＡ復調を実行して、少なくとも１つのシンボル周期における伝送に使用される連続する複数サブキャリアの集合から受信されるシンボルを得ること；および、
拡散符号のＬ個のチップを使用して前記受信されるシンボルを逆拡散して、前記制御情報に関する変調シンボルを復元すること、ここにおいて、Ｌは、前記拡散符号の長さである。
【請求項４２】
請求項４１記載の方法、ここにおいて、
前記逆拡散することは、下記を備える：
複数のシンボルにまたがって、または複数のサンプルにまたがって、または複数のサブキャリアにまたがって、または、それらの組み合わせにまたがって、前記拡散符号を使用して前記受信されるシンボルを逆拡散すること。
【請求項４３】
さらに下記を備える請求項４１記載の方法：
スクランブル符号を使用して逆スクランブルを実行すること。
【請求項４４】
さらに下記を備える請求項４１記載の方法：
いずれの送信機にも割り当てられていない少なくとも１つの他の拡散符号に基づいて、干渉推定値を導き出すこと。
【請求項４５】
下記を備える無線通信システムにおける装置：
制御情報を備える少なくとも１つのＳＣ−ＦＤＭＡシンボルを受信するための手段；
前記少なくとも１つの受信されたＳＣ−ＦＤＭＡシンボルに対してＳＣ−ＦＤＭＡ復調を実行して、少なくとも１つのシンボル周期における伝送に使用される連続する複数サブキャリアの集合から受信されるシンボルを得るための手段；および、
拡散符号のＬ個のチップを使用して前記受信されるシンボルを逆拡散して、前記制御情報に関する変調シンボルを復元するための手段、ここにおいて、Ｌは、前記拡散符号の長さである。
【請求項４６】
さらに下記を備える請求項４５記載の装置：
スクランブル符号を使用して逆スクランブルを実行するための手段。
【請求項４７】
請求項４５に記載の装置、この装置において、
前記逆拡散するための前記手段は、下記を備える：
複数のシンボルにまたがって、または複数のサンプルにまたがって、または複数のサブキャリアにまたがって、または、それらの組み合わせにまたがって前記拡散符号を使用して前記受信されるシンボルを逆拡散するための手段。
【請求項４８】
いずれの送信機にも割り当てられていない少なくとも１つの他の拡散符号に基づいて、干渉推定値を導き出すための手段をさらに含む請求項４５に記載の装置。
【請求項４９】
下記をさらに備える請求項２１記載の方法、
伝送のために少なくとも２つの送信機によって使用される少なくとも１つのシンボル周期にわたって拡散することを実行すること。
【請求項５０】
請求項２１記載の方法、ここにおいて、
前記少なくとも１つのＳＣ−ＦＤＭＡシンボルを生成することは、下記を備える：
前記Ｌ個の拡散された変調シンボルに基づいて、Ｌ個のＳＣ−ＦＤＭＡシンボルを生成すること。
【請求項５１】
請求項２１記載の方法、ここにおいて、
前記少なくとも１つのＳＣ−ＦＤＭＡシンボルを生成することは、下記を備える：
前記Ｌ個の拡散された変調シンボルに基づいて一個のＳＣ−ＦＤＭＡシンボルを生成すること。
【請求項５２】
下記をさらに備える請求項２６記載の装置、
伝送のために少なくとも２つの送信機によって使用される少なくとも１つのシンボル周期にわたって拡散することを実行するための手段。
【請求項５３】
請求項２６記載の装置、この装置において、
前記少なくとも１つのＳＣ−ＦＤＭＡシンボルを生成するための手段は、下記を備える：
前記Ｌ個の拡散された変調シンボルに基づいて、Ｌ個のＳＣ−ＦＤＭＡシンボルを生成するための手段。
【請求項５４】
請求項２６記載の装置、この装置において、
前記少なくとも１つのＳＣ−ＦＤＭＡシンボルを生成するための手段は、下記を備える：
前記Ｌ個の拡散された変調シンボルに基づいて一個のＳＣ−ＦＤＭＡシンボルを生成するための手段。
【請求項５５】
請求項３１に記載の装置、この装置において、
前記プロセッサは、Ｌ個の受信されたＳＣ−ＦＤＭＡシンボルに対してＳＣ−ＦＤＭＡ復調を実行し、Ｌ個のシンボル周期について受信されたシンボルを取得し、そして、前記拡散符号の前記Ｌ個のチップを使用して前記受信されたシンボルを逆拡散し、前記変調シンボルを復元するように動作する。
【請求項５６】
請求項３１に記載の装置、この装置において、
前記プロセッサは、１個の受信されたＳＣ−ＦＤＭＡシンボルに対してＳＣ−ＦＤＭＡ復調を実行し、Ｌ個のサンプル周期またはＬ個のサブキャリアについて受信されたシンボルを取得し、そして、前記拡散符号の前記Ｌ個のチップを使用して前記受信されたシンボルを逆拡散し、前記変調シンボルを復元するように動作する。
【請求項５７】
請求項４１に記載の方法、ここにおいて、
前記ＳＣ−ＦＤＭＡ復調を実行することは、下記を備える：
Ｌ個の受信されたＳＣ−ＦＤＭＡシンボルに対してＳＣ−ＦＤＭＡ復調を実行し、Ｌ個のシンボル周期について受信されたシンボルを取得する、
また、前記逆拡散することは、下記を備える：
前記拡散符号の前記Ｌ個のチップを使用して前記Ｌ個のシンボル周期について前記受信されたシンボルを逆拡散し、前記変調シンボルを復元する。
【請求項５８】
請求項４１に記載の方法、ここにおいて、
前記ＳＣ−ＦＤＭＡ復調を実行することは、下記を備える：
１個の受信されたＳＣ−ＦＤＭＡシンボルに対してＳＣ−ＦＤＭＡ復調を実行し、Ｌ個のサンプル周期またはＬ個のサブキャリアについて受信されたシンボルを取得する、
また、前記逆拡散することは、下記を備える：
前記拡散符号の前記Ｌ個のチップを使用して前記Ｌ個のサンプル周期または前記Ｌ個のサブキャリアについて前記受信されたシンボルを逆拡散し、前記変調シンボルを復元する。
【請求項５９】
請求項４５に記載の装置、この装置において、
前記ＳＣ−ＦＤＭＡ復調を実行するための手段は、下記を備える：
Ｌ個の受信されたＳＣ−ＦＤＭＡシンボルに対してＳＣ−ＦＤＭＡ復調を実行し、Ｌ個のシンボル周期について受信されたシンボルを取得するための手段、
また、前記逆拡散するための手段は、下記を備える：
前記拡散符号の前記Ｌ個のチップを使用して前記Ｌ個のシンボル周期について前記受信されたシンボルを逆拡散し、前記変調シンボルを復元するための手段。
【請求項６０】
請求項４５に記載の装置、この装置において、
前記ＳＣ−ＦＤＭＡ復調を実行するための手段は、下記を備える：
１個の受信されたＳＣ−ＦＤＭＡシンボルに対してＳＣ−ＦＤＭＡ復調を実行し、Ｌ個のサンプル周期またはＬ個のサブキャリアについて受信されたシンボルを取得するための手段、
また、前記逆拡散するための手段は、下記を備える：
前記拡散符号の前記Ｌ個のチップを使用して前記Ｌ個のサンプル周期または前記Ｌ個のサブキャリアについて前記受信されたシンボルを逆拡散し、前記変調シンボルを復元するための手段。
【請求項６１】
プログラムを保存するコンピュータ可読媒体、ただし、該プログラムはコンピュータによって実施される際に、下記を含む動作を前記コンピュータに実行させる：
制御情報に関する変調シンボルを生成すること；
拡散符号を使用して前記制御情報に関する前記変調シンボルを拡散して、前記変調シンボルをＬ回、繰り返して、Ｌ個の繰り返された変調シンボルを、前記拡散符号のＬ個のチップと乗算することにより、Ｌ個の拡散された変調シンボルを得ること、ここにおいて、Ｌは、前記拡散符号の長さである；
前記Ｌ個の拡散された変調シンボルと伝送に使用される連続する複数サブキャリアの集合とに基づいて少なくとも１つのＳＣ−ＦＤＭＡシンボルを生成すること。
【請求項６２】
プログラムを保存するコンピュータ可読媒体、ただし、該プログラムはコンピュータによって実施される際に、下記を含む動作を前記コンピュータに実行させる：
制御情報を備える少なくとも１つのＳＣ−ＦＤＭＡシンボルを受信すること；
前記少なくとも１つの受信されたＳＣ−ＦＤＭＡシンボルに対してＳＣ−ＦＤＭＡ復調を実行し、少なくとも１つのシンボル周期における伝送に使用される連続する複数サブキャリアの集合から受信されたシンボルを得ること；
拡散符号のＬ個のチップを使用して前記受信されたシンボルを逆拡散し、前記制御情報に関する変調シンボルを復元すること、ここにおいて、Ｌは、前記拡散符号の長さである。
【発明の詳細な説明】
【技術分野】
【０００１】
本開示は、一般に、通信に関し、より具体的には、無線通信システムにおける伝送技術に関する。
【０００２】
（米国法典第３５編１１９条の下における優先権の主張）
本特許出願は、２００５年８月８日に出願した「単一搬送波周波数分割多元接続システムにおける符号分割多重化（ＣＯＤＥ  ＤＩＶＩＳＩＯＮ  ＭＵＬＴＩＰＬＥＸＩＮＧ  ＩＮ  Ａ  ＳＩＮＧＬＥ−ＣＡＲＲＩＥＲ  ＦＲＥＱＵＥＮＣＹ  ＤＩＶＩＳＩＯＮ  ＭＵＬＴＩＰＬＥ  ＡＣＣＥＳＳ  ＳＹＳＴＥＭ）」という名称の仮出願第６０／７０６，６３９号、および２００５年８月２２日に出願した「単一搬送波周波数分割多元接続システムにおける符号分割多重化（ＣＯＤＥ  ＤＩＶＩＳＩＯＮ  ＭＵＬＴＩＰＬＥＸＩＮＧ  ＩＮ  Ａ  ＳＩＮＧＬＥ−ＣＡＲＲＩＥＲ  ＦＲＥＱＵＥＮＣＹ  ＤＩＶＩＳＩＯＮ  ＭＵＬＴＩＰＬＥ  ＡＣＣＥＳＳ  ＳＹＳＴＥＭ）」という名称の第６０／７１０，５０３号、および２００５年８月２２日に出願した「単一搬送波周波数分割多元接続システムにおける符号分割多重化（ＣＯＤＥ  ＤＩＶＩＳＩＯＮ  ＭＵＬＴＩＰＬＥＸＩＮＧ  ＩＮ  Ａ  ＳＩＮＧＬＥ−ＣＡＲＲＩＥＲ  ＦＲＥＱＵＥＮＣＹ  ＤＩＶＩＳＩＯＮ  ＭＵＬＴＩＰＬＥ  ＡＣＣＥＳＳ  ＳＹＳＴＥＭ）」という名称の第６０／７１０，４２８号の優先権を主張し、以上の出願はすべて、本出願の譲受人に譲渡され、参照により本明細書に組み込まれている。
【背景技術】
【０００３】
多元アクセスシステムは、順方向リンク上、および逆方向リンク上で複数の端末装置と同時に通信することができる。順方向リンク（またはダウンリンク）とは、基地局から端末装置に至る通信リンクを指し、逆方向リンク（またはアップリンク）とは、端末装置から基地局に至る通信リンクを指す。複数の端末装置が同時に、逆方向リンク上でデータを送信し、かつ／または順方向リンク上でデータを受信することができる。これは、しばしば、複数のデータ伝送を各リンク上で、時間領域、周波数領域、および／または符号領域において互いに直交するように多重化することによって達せられる。例えば、異なる端末装置に関するデータ伝送は、ＣＤＭＡ（符号分割多元接続）システムにおける異なる直交符号を使用すること、ＴＤＭＡ（時間分割多元接続）システムにおける異なるタイムスロットの中で伝送すること、およびＦＤＭＡ（周波数分割多元接続）システムまたはＯＦＤＭＡ（直交周波数分割多元接続）システムにおける異なる周波数サブバンド上で伝送することにより、直交させられることが可能である。
【０００４】
端末装置は、例えば、トラフィックデータ、シグナリング、およびパイロットなどの様々なタイプのデータを伝送することが可能である。トラフィックデータとは、アプリケーションによって送信されるデータ（例えば、音声データまたはパケットデータ）を指し、シグナリングとは、システム動作をサポートするように送信されるデータ（例えば、制御データ）を指し、パイロットとは、送信機と受信機がともに先験的（ａ  ｐｒｉｏｒｉ）に知っているデータを指す。異なるタイプのデータは、異なる要件を有することが可能であり、異なる仕方で、例えば、異なるレートで、異なる時間間隔で伝送されることが可能である。シグナリングおよびパイロットは、オーバヘッドであるので、端末装置が、シグナリングおよびパイロットを可能な限り効率的に伝送することが、望ましい。
【０００５】
したがって、多元接続システムにおける効率的な伝送技術の必要性が、当技術分野において存在する。
【発明の概要】
【０００６】
ＳＣ−ＦＤＭＡ（単一搬送波周波数分割多元接続）システムにおいて様々なタイプのデータを効率的に伝送する技術を、本明細書で説明する。ＳＣ−ＦＤＭＡシステムは、（１）ＩＦＤＭＡ（インタリーブされた（ｉｎｔｅｒｌｅａｖｅｄ）ＦＤＭＡ）を利用して、周波数帯域または全体的なシステム帯域幅にわたって分布する周波数サブバンド上で伝送する、（２）ＬＦＤＭＡ（局所化された（ｌｏｃａｌｉｚｅｄ）ＦＤＭＡ）を利用して、隣接するサブバンドグループ上で伝送する、または（３）ＥＦＤＭＡ（拡張ＦＤＭＡ）を利用して、複数の隣接するサブバンドグループ上でデータおよびパイロットを伝送する。ＩＦＤＭＡは、分散型ＦＤＭＡとも呼ばれ、ＬＦＤＭＡは、狭帯域ＦＤＭＡ、従来のＦＤＭＡ、およびＦＤＭＡとも呼ばれる。
【０００７】
或る実施形態において、送信機（例えば、端末装置）が、様々なタイプのデータ（例えば、トラフィックデータ、シグナリング、およびパイロット）のための変調シンボルを生成し、１つまたは複数のデータタイプの上でＣＤＭ（符号分割多重化）を実行する。ＣＤＭは、トラフィックデータ、シグナリング、パイロット、または以上の任意の組み合わせに適用されることが可能である。例えば、送信機は、少なくとも１つの別の送信機によっても使用される周波数サブバンドおよびシンボル周期において送信されるシグナリングおよび／またはパイロットに対して、ＣＤＭを適用することができる。所与のデータタイプ（例えば、シグナリング）にＣＤＭを適用するのに、送信機は、割り当てられた拡散符号（例えば、ウォルシュ符号）を使用して、そのデータタイプのための変調シンボルに対して拡散を実行する。ＣＤＭは、下記で説明するとおり、複数のシンボルにまたがって、複数のサンプルにまたがって、複数のサンプルと複数のシンボルの両方にまたがって、周波数サブバンドにまたがってといった具合に、適用されてもよい。また、送信機は、拡散の後に、スクランブルを実行することもできる。送信機は、トラフィックデータ、シグナリング、およびパイロットのために、同一のシンボル周期、または異なるシンボル周期のＳＣ−ＦＤＭＡシンボルを生成し、そのＳＣ−ＦＤＭＡシンボルを受信機に送信する。受信機は、相補的な処理を実行して、伝送されたデータを復元する。
【０００８】
本発明の様々な態様および実施形態を、以下でさらに詳細に説明する。
【０００９】
本発明の特徴および性質は、以下で示される詳細な説明が、同様の参照符号が、全体を通して対応するように識別する図面と併せて解釈されることで、より明白となろう。
【図面の簡単な説明】
【００１０】
【図１】複数の送信機と、受信機とを有するシステムを示す図。
【図２Ａ】ＩＦＤＭＡのための例示的なサブバンド構造を示す図。
【図２Ｂ】ＬＦＤＭＡのための例示的なサブバンド構造を示す図。
【図２Ｃ】ＥＦＤＭＡのための例示的なサブバンド構造を示す図。
【図３Ａ】ＩＦＤＭＡシンボル、ＬＦＤＭＡシンボル、またはＥＦＤＭＡシンボルの生成を示す図。
【図３Ｂ】ＩＦＤＭＡシンボルの生成を示す図。
【図４】ＦＨ（周波数ホッピング）スキームを示す図。
【図５】複数のシンボルにまたがるＣＤＭを使用する伝送スキームを示す図。
【図６】２チップ拡散符号を使用する２つの送信機に関する伝送を示す図。
【図７】複数のサンプルにまたがるＣＤＭを使用する伝送スキームを示す図。
【図８】複数のサンプルと複数のシンボルにまたがるＣＤＭを使用する伝送スキームを示す図。
【図９】異なるタイプのデータに関する異なるシンボル周期の使用を示す図。
【図１０】ＣＤＭを使用してＳＣ−ＦＤＭＡシンボルを伝送するためのプロセスを示す図。
【図１１】ＣＤＭを使用して送信されたＳＣ−ＦＤＭＡシンボルを受信するためのプロセスを示す図。
【図１２】送信機を示すブロック図。
【図１３】受信機を示すブロック図。
【図１４】ＲＸ（受信）空間プロセッサを示すブロック図。
【詳細な説明】
【００１１】
「例示的な」という語は、本明細書では、「例、実例、または例示の役割をする」を意味するように使用される。本明細書で「例示的な」と説明される、いずれの実施形態、またはいずれの設計も、他の実施形態、または他の設計よりも好ましい、または有利であると、必ずしも解釈されるべきではない。
【００１２】
本明細書で説明される伝送技術は、様々な通信システムのために使用されることが可能である。例えば、これらの技術は、ＩＦＤＭＡ、ＬＦＤＭＡ、またはＥＦＤＭＡを利用するＳＣ−ＦＤＭＡシステム、ＯＦＤＭ（直交周波数分割多重化）を利用するＯＦＤＭＡシステム、他のＦＤＭＡシステム、他のＯＦＤＭベースのシステムなどのために使用されることが可能である。変調シンボルは、時間領域においてＩＦＤＭＡ、ＬＦＤＭＡ、およびＥＦＤＭＡを使用し、周波数領域においてＯＦＤＭを使用して送信される。一般に、これらの技術は、順方向リンクおよび逆方向リンクのために１つまたは複数の多重化スキームを利用するシステムのために使用されることが可能である。例えば、システムは、（１）順方向リンクと逆方向リンクの両方のためにＳＣ−ＦＤＭＡ（例えば、ＩＦＤＭＡ、ＬＦＤＭＡ、またはＥＦＤＭＡ）を利用すること、（２）一方のリンクのために１つのバージョンのＳＣ−ＦＤＭＡ（例えば、ＬＦＤＭＡ）を利用し、他方のリンクのための別のバージョンのＳＣ−ＦＤＭＡ（例えば、ＩＦＤＭＡ）を利用すること、（３）逆方向リンクのためにＳＣ−ＦＤＭＡを利用し、順方向リンクのためにＯＦＤＭＡを利用すること、または（４）多重化スキームの何らかの別の組み合わせ利用することができる。ＳＣ−ＦＤＭＡスキーム、ＯＦＤＭＡスキーム、他の何らかの多重化スキーム、または以上の組み合わせが、各リンクに関して使用されて、所望されるパフォーマンスが達せられることが可能である。例えば、ＳＣ−ＦＤＭＡおよびＯＦＤＭＡが、所与のリンクに関して使用されて、ＳＣ−ＦＤＭＡは、いくつかのサブバンドのために使用され、ＯＦＤＭＡは、他のサブバンド上で使用されることが可能である。逆方向リンク上でＳＣ−ＦＤＭＡを使用して、より低いＰＡＲＲを実現し、端末装置に関する電力増幅器の要件を緩和することが、望ましい可能性がある。順方向リンク上でＯＦＤＭＡを使用して、可能性としてより高いシステム容量を実現することが、望ましい可能性がある。
【００１３】
本明細書で説明される技術は、順方向リンクおよび逆方向リンクのために使用されることが可能である。また、これらの技術は、（１）所与のセル内、または所与のセクタ内のすべてのユーザが、時間、周波数、および／または符号に関して直交である直交多元接続システム、および（２）同一のセル内、または同一のセクタ内の複数のユーザが、同一の周波数上で同一時刻に同時に送信することができる準直交多元接続システムのために使用されることも可能である。準直交ＳＣ−ＦＤＭＡシステムは、空間内の様々なポイントに配置された複数のアンテナを使用して、複数のユーザに関する同時の伝送をサポートするＳＤＭＡ（空間分割多元接続）をサポートする。
【００１４】
図１は、複数（Ｍ）の送信機１１０ａないし１１０ｍと、受信機１５０とを有するＳＣ−ＦＤＭＡシステム１００を示す。簡明のため、各送信機１１０は、単一のアンテナ１３４を備え、受信機１５０は、複数（Ｒ）のアンテナ１５２ａないし１５２ｒを備える。逆方向リンクに関して、各送信機１１０は、端末装置の一部であることが可能であり、受信機１５０は、基地局の一部であることが可能である。順方向リンクに関して、各送信機１１０は、基地局の一部であることが可能であり、受信機１５０は、端末装置の一部であることが可能である。基地局は、一般に、固定局であり、ＢＴＳ（ベーストランシーバシステム）またはアクセスポイントと呼ばれ、あるいは他の何らかの用語で呼ばれることも可能である。端末装置は、固定型であっても、移動型であってもよく、無線デバイス、セルラー電話機、ＰＤＡ（パーソナルデジタルアシスタント）、無線モデムカードなどであることが可能である。
【００１５】
各送信機１１０において、送信（ＴＸ）データ−パイロットプロセッサ１２０が、トラフィックデータおよびシグナリングを符号化し、インタリーブし、シンボルマップして、データシンボルを生成する。以下の説明のいくつかの部分で、ひとまとめにして「データ」と呼ばれるトラフィックデータとシグナリングに関して、同一の符号化スキームおよび変調スキームが使用されても、異なる符号化スキームおよび変調スキームが使用されてもよい。また、プロセッサ１２０は、パイロットシンボルを生成し、データシンボルおよびパイロットシンボルを多重化することも行う。本明細書で使用される、データシンボルとは、データのための変調シンボルであり、パイロットシンボルとは、パイロットのための変調シンボルであり、変調シンボルとは、信号点配置（ｓｉｇｎａｌ  ｃｏｎｓｔｅｌｌａｔｉｏｎ）（例えば、ＰＳＫまたはＱＡＭに関する）における或る点を表す複素数値であり、シンボルとは、複素数値である。ＴＸ  ＣＤＭプロセッサ１２２が、ＣＤＭを使用して伝送されるべき各タイプのデータに関する拡散を実行する。ＳＣ−ＦＤＭＡ変調器１３０が、ＳＣ−ＦＤＭＡ変調（例えば、ＩＦＤＭＡ、ＬＦＤＭＡ、またはＥＦＤＭＡに関する）を実行して、ＳＣ−ＦＤＭＡシンボルを生成する。ＳＣ−ＦＤＭＡシンボルは、ＩＦＤＭＡシンボルであっても、ＬＦＤＭＡシンボルであっても、ＥＦＤＭＡシンボルであってもよい。データＳＣ−ＦＤＭＡシンボルは、データのためのＳＣ−ＦＤＭＡシンボルであり、パイロットＳＣ−ＦＤＭＡシンボルは、パイロットのためのＳＣ−ＦＤＭＡシンボルである。ＴＭＴＲ（送信機装置）１３２が、それらのＳＣ−ＦＤＭＡシンボルを処理して（例えば、アナログへの変換、増幅、フィルタリング、および周波数アップコンバージョンを行い）、ＲＦ（無線周波数）変調信号を生成し、この信号が、アンテナ１３４を介して伝送される。
【００１６】
受信機１５０において、Ｒ個のアンテナ１５２ａないし１５２ｒが、送信機１１０ａな
いし１１０ｍからＲＦ変調信号を受信し、各アンテナは、受信された信号を、関連するＲＣＶＲ（受信器ユニット）１５４に供給する。各受信器ユニット１５４は、受信された信号を調整して（例えば、フィルタリング、増幅、周波数ダウンコンバージョン、およびデジタル化を行い）、入力サンプルを、関連するＤｅｍｕｘ（逆多重化装置（ｄｅｍｕｌｔｉｐｌｅｘｅｒ））１５６に供給する。各逆多重化装置１５６は、ＣＤＭを使用して送信されたＳＣ−ＦＤＭＡシンボルに関する入力サンプルをＳＣ−ＦＤＭＡ  Ｄｅｍｏｄ（復調器）１６０に供給し、ＣＤＭを使用しないで送信されたＳＣ−ＦＤＭＡシンボルに関する入力サンプルをＲＸ空間プロセッサ１７０に供給する。ＳＣ−ＦＤＭＡ復調器１６０は、入力サンプルに対してＳＣ−ＦＤＭＡ復調を実行し、受信されたシンボルを提供する。ＲＸ  ＣＤＭプロセッサ１６２が、相補的な逆拡散を実行して、検出されたデータシンボルを提供する。ＲＸデータプロセッサ１６４が、それらの検出されたデータシンボルを処理して、ＣＤＭを使用して送信されたデータを復元する。
【００１７】
ＲＸ空間プロセッサ１７０が、複数の送信機によって使用される各サブバンドに関する受信側の空間処理を実行し、それらの送信機によって送信されたデータシンボルを分離する。また、ＲＸ空間プロセッサ１７０は、各送信機に関する検出されたＳＣ−ＦＤＭＡシンボルの逆多重化も行う。ＳＣ−ＦＤＭＡ復調器１７２が、各送信機に関する検出されたＳＣ−ＦＤＭＡシンボルの上でＳＣ−ＦＤＭＡ復調を実行して、その送信機に関するデータシンボル推定値を提供し、これらの推定値は、その送信機によって送信されたデータシンボルの推定値である。ＲＸデータプロセッサ１７４が、各送信機に関するデータシンボル推定値に対してシンボル逆マップ（ｄｅｍａｐ）、逆インタリーブ、および復号化を行い、その送信機に関する復号化されたデータを提供する。一般に、受信機１５０による処理は、送信機１１０ａないし１１０ｍによる処理に対して相補的である。
【００１８】
コントローラ１４０ａないし１４０ｍ、およびコントローラ１８０が、それぞれ、送信機１１０ａないし１１０ｍ、および受信機１５０における様々な処理ユニットの動作を指令する。メモリ１４２ａないし１４２ｍ、およびメモリ１８２が、それぞれ、送信機１１０ａないし１１０ｍ、および受信機１５０のためにプログラムコードおよびデータを格納する。
【００１９】
システム１００は、伝送のためにＩＦＤＭＡ、ＬＦＤＭＡ、またはＥＦＤＭＡを利用することができる。ＩＦＤＭＡ、ＬＦＤＭＡ、およびＥＦＤＭＡに関するサブバンド構造およびシンボル生成については、以下で説明する。
【００２０】
図２Ａは、ＩＦＤＭＡに関する例示的なサブバンド構造２００を示す。ＢＷ  ＭＨｚの全体的なシステム帯域幅が、１からＫまでのインデックス（ｉｎｄｉｃｅｓ）が与えられた複数（Ｋ個）の直交サブバンドに分割され、ただし、Ｋは、任意の整数値である。隣接するサブバンド間の間隔は、ＢＷ／Ｋ  ＭＨｚである。例えば、以下の説明は、合計Ｋ個すべてのサブバンドが、伝送のために使用可能であるものと想定する。サブバンド構造２００の場合、Ｋ個のサブバンドは、Ｓ個の互いに素な（ｄｉｓｊｏｉｎｔ）、つまり、重なり合わないインタレースになるように配置される。Ｓ個のインタレースは、Ｋ個のサブバンドのそれぞれが、１つ限りのインタレースに属するという点で、互いに素である。或る実施形態では、各インタレースは、合計Ｋ個のサブバンドにわたって一様に分布するＮ個のサブバンドを含み、各インタレースにおける連続するサブバンドは、Ｓ個のサブバンドによって離隔され、インタレースｕが、第１のサブバンドとしてサブバンドｕを含み、ただし、Ｋ＝Ｓ・Ｎであり、かつ、ｕ∈｛１，．．．，Ｓ｝である。一般に、サブバンド構造は、任意の数のインタレースを含むことが可能であり、各インタレースは、任意の数のサブバンドを含むことが可能であり、これらのインタレースは、同一の数のサブバンドを含んでも、異なる数のサブバンドを含んでもよい。さらに、Ｎは、Ｋの整除数（ｉｎｔｅｇｅｒ  ｄｉｖｉｓｏｒ）であっても、そうでなくてもよく、Ｎ個のサブバンドは、合計Ｋ個のサブバンドにわたって一様に分布していても、そうでなくてもよい。
【００２１】
図２Ｂは、ＬＦＤＭＡに関する例示的なサブバンド構造２１０を示す。サブバンド構造２１０の場合、合計Ｋ個のサブバンドが、Ｓ個の重なり合わないグループになるように配置される。或る実施形態では、各グループは、互いに隣接するＮ個のサブバンドを含み、グループｖは、サブバンド（ｖ−１）・Ｎ＋１ないしｖ・Ｎを含み、ただし、ｖは、グループ・インデックスであり、かつ、ｖ∈｛１，．．．，Ｓ｝である。サブバンド構造２１０に関するＮおよびＳは、サブバンド構造２００に関するＮおよびＳと同一であっても、異なっていてもよい。一般に、サブバンド構造は、任意の数のグループを含むことが可能であり、各グループは、任意の数のサブバンドを含むことが可能であり、これらのグループは、同一の数のサブバンドを含んでも、異なる数のサブバンドを含んでもよい。
【００２２】
図２Ｃは、ＥＦＤＭＡに関する例示的なサブバンド構造２２０を示す。サブバンド構造２２０に関して、合計Ｋ個のサブバンドが、Ｓ個の重なり合わない集合になるように配置され、各集合は、Ｇ個のサブバンドグループを含む。或る実施形態では、合計Ｋ個のサブバンドは、以下のとおり、Ｓ個の集合に配分される。合計Ｋ個のサブバンドはまず、複数の周波数範囲に分割され、各周波数範囲は、Ｋ′＝Ｋ／Ｇ個の連続するサブバンドを含む。各周波数範囲は、Ｓ個のグループにさらに分割され、各グループは、Ｖ個の連続するサブバンドを含む。各周波数範囲に関して、最初のＶ個のサブバンドは、集合１に割り振られ、次のＶ個のサブバンドは、集合２に割り振られるといった具合であり、最後のＶ個のサブバンドは、集合Ｓに割り振られる。ｓ＝１，．．．，Ｓに関して、集合ｓは、以下の式、（ｓ−１）・Ｖ≦ｋ ｍｏｄ（Ｋ／Ｇ）＜ｓ・Ｖを満たすインデックスｋを有するサブバンドを含む。各集合は、Ｖ個の連続するサブバンドのＧ個のグループを含み、つまり、合計Ｎ＝Ｇ・Ｖ個のサブバンドを含む。一般に、サブバンド構造は、任意の数の集合を含むことが可能であり、各集合は、任意の数のグループ、および任意の数のサブバンドを含むことが可能であり、これらの集合は、同一の数のサブバンドを含んでも、異なる数のサブバンドを含んでもよい。各集合に関して、グループは、同一の数のサブバンドを含んでも、異なる数のサブバンドを含んでもよく、システム帯域幅にわたって一様に分布していても、非均一な分布をしていてもよい。
【００２３】
また、ＳＣ−ＦＤＭＡシステムは、ＩＦＤＭＡ、ＬＦＤＭＡ、および／またはＥＦＤＭＡの組み合わせを利用することも可能である。例えば、複数のインタレースが、各サブバンドグループに関して形成されることが可能であり、各インタレースが、伝送のために１名または複数名のユーザに割り当てられることが可能である。別の例として、複数のサブバンドグループが、各インタレースに関して形成されることが可能であり、各サブバンドグループが、伝送のために１名または複数名のユーザに割り当てられることが可能である。ＩＦＤＭＡ、ＬＦＤＭＡ、ＥＦＤＭＡ、ならびに上記の変種および組み合わせは、ＳＣ−ＦＤＭＡの異なるバージョンと考えられることが可能である。一般に、本明細書で説明される技術は、任意の数のサブバンド集合を有して、各サブバンド集合が、任意の仕方で配置されることが可能な任意の数のサブバンドを含むことが可能な、任意のサブバンド構造に関して使用されることが可能である。各サブバンド集合に関して、（１）サブバンドは、システム帯域幅にわたって個々に、一様に、または非均一に分布することが可能であり、（２）サブバンドは、１つのグループの中で互いに隣接することが可能であり、あるいは（３）サブバンドは、各グループが、システム帯域幅のどこにでも配置されることが可能であり、１つまたは複数のサブバンドを含むことが可能な、複数のグループ内に分散されるが可能である。
【００２４】
図３Ａは、１つのインタレースに関するＩＦＤＭＡシンボル、１つのサブバンドグループに関するＬＦＤＭＡシンボル、または１つのサブバンド集合に関するＥＦＤＭＡシンボルの生成を示す。インタレース上、サブバンドグループ上、またはサブバンド集合上の１つのシンボル周期の中で伝送されるべきＮ個の変調シンボルの当初のシーケンスが、｛ｄ１，ｄ２，ｄ３，．．．，ｄＮ｝と表される（ブロック３１０）。この当初のシーケンスが、ＮポイントのＤＦＴ（離散フーリエ変換）を使用して周波数領域に変換されて、Ｎ個の周波数領域値が得られる（ブロック３１２）。これらＮ個の周波数領域値が、伝送のために使用されるＮ個のサブバンド上にマップされ、Ｋ−Ｎ個の０値が、残りのＫ−Ｎ個のサブバンド上にマップされて、Ｋ個の値のシーケンスが生成される（ブロック３１４）。伝送のために使用されるＮ個のサブバンドは、ＬＦＤＭＡに関する隣接するサブバンドの１つのグループの中に入っており（図３Ａに示されるとおり）、ＩＦＤＭＡに関する合計Ｋ個のサブバンドにわたって分布するサブバンドを有する１つのインタレースの中に入っており（図３Ａに示さず）、ＥＦＤＭＡに関するサブバンドの複数のグループの１つの集合の中に入っている（やはり図３Ａに示さず）。次に、Ｋ個の値のシーケンスが、ＫポイントのＩＤＦＴ（逆離散フーリエ変換）を使用して時間領域に変換されて、Ｋ個の時間領域出力サンプルのシーケンスが得られる（ブロック３１６）。
【００２５】
このシーケンスの最後のＣ個の出力サンプルが、このシーケンスの先頭にコピーされて、Ｋ＋Ｃ個の出力サンプルを含むＩＦＤＭＡシンボル、ＬＦＤＭＡシンボル、またはＥＦＤＭＡシンボルが形成される（ブロック３１８）。このＣ個のコピーされた出力サンプルは、しばしば、巡回プレフィックス（ｃｙｃｌｉｃ  ｐｒｅｆｉｘ）またはガード区間と呼ばれ、Ｃは、巡回プレフィックスの長さである。巡回プレフィックスは、システム帯域幅にわたって変化する周波数応答である周波数選択性フェージングによって生じるＩＳＩ（シンボル間干渉）に対応するのに使用される。
【００２６】
図３Ｂは、Ｎが、Ｋの整除数であり、Ｎ個のサブバンドが、合計Ｋ個のサブバンドにわたって一様に分布する場合における、１つのインタレースのためのＩＦＤＭＡシンボルの生成を示す。インタレースｕの中のＮ個のサブバンド上の１つのシンボル周期の中で伝送されるべきＮ個の変調シンボルの当初のシーケンスが、｛ｄ１，ｄ２，ｄ３，．．．，ｄＮ｝と表される（ブロック３５０）。この当初のシーケンスが、Ｓ回、繰り返されて、Ｋ個の変調シンボルの拡張されたシーケンスが得られる（ブロック３５２）。Ｎ個の変調シンボルは、時間領域において送信され、周波数領域においてＮ個のサブバンドをひとまとまりとして占有する。この当初のシーケンスのＳ個のコピーにより、Ｎ個の占有されるサブバンドが、Ｓ個のサブバンドによって離隔されるという結果を生じ、ゼロ電力（ｚｅｒｏ  ｐｏｗｅｒ）のＳ−１個のサブバンドが、隣接する占有されたサブバンドを分離する。この拡張されたシーケンスは、図２Ａにおけるインタレース１を占有する櫛状の（ｃｏｍｂ−ｌｉｋｅ）周波数スペクトルを有する。
【００２７】
拡張されたシーケンスには、位相勾配（ｐｈａｓｅ  ｒａｍｐ）が乗算されて、Ｋ個の出力サンプルの周波数変換されたシーケンスが得られる（ブロック３５４）。周波数変換されたシーケンスの各出力サンプルは、以下のとおり生成されることが可能である。すなわち、
【数１】
0005571131.tif 000002
【００２８】
ただし、ｄｎは、拡張されたシーケンスにおける第ｎ番の変調シンボルであり、ｘｎは、周波数変換されたシーケンスにおける第ｎ番の出力サンプルであり、ｕは、インタレースの中の最初のサブバンドのインデックスである。時間領域における位相勾配ｅ−ｊ２π・（ｎ−１）・（ｕ−１）／Ｋとの乗算は、周波数領域においてインタレースｕを占有する周波数変換されたシーケンスを結果として生じる。この周波数変換されたシーケンスの最後のＣ個の出力サンプルが、この周波数変換されたシーケンスの先頭にコピーされて、Ｋ＋Ｃ個の出力サンプルを含むＩＦＤＭＡシンボルが形成される（ブロック３５６）。
【００２９】
図３Ａに示される処理を使用して、ＮおよびＫの任意の値に関するＩＦＤＭＡシンボル、ＬＦＤＭＡシンボル、およびＥＦＤＭＡシンボルが生成されることが可能である。図３Ｂに示される処理は、Ｎが、Ｋの整除数であり、Ｎ個のサブバンドが、合計Ｋ個のサブバンドにわたって一様に分布する場合において、ＩＦＤＭＡシンボルを生成するのに使用されることが可能である。図３ＢにおけるＩＦＤＭＡシンボル生成は、ＤＦＴまたはＩＤＦＴを必要とせず、このため、可能な場合にはいつでも使用されることが可能である。また、ＩＦＤＭＡシンボル、ＬＦＤＭＡシンボル、およびＥＦＤＭＡシンボルは、他の仕方で生成されることも可能である。
【００３０】
（ＩＦＤＭＡシンボル、ＬＦＤＭＡシンボル、またはＥＦＤＭＡシンボルであることが可能な）ＳＣ−ＦＤＭＡシンボルのＫ＋Ｃ個の出力サンプルが、Ｋ＋Ｃ個のサンプル周期において伝送され、各サンプル周期につき１つの出力サンプルが伝送される。ＳＣ−ＦＤＭＡシンボル周期（または、単に、シンボル周期）は、１つのＳＣ−ＦＤＭＡシンボルの持続時間であり、Ｋ＋Ｃ個のサンプル周期に相当する。サンプル周期は、チップ周期とも呼ばれる。
【００３１】
本明細書で一般的に使用されるサブバンド集合とは、ＩＦＤＭＡに関するインタレース、ＬＦＤＭＡに関するサブバンドグループ、またはＥＦＤＭＡに関する複数のサブバンドグループの集合であることが可能な、サブバンドの集合である。逆方向リンクに関して、Ｓ名のユーザが、Ｓ個のサブバンド集合（例えば、Ｓ個のインタレース、またはＳ個のサブバンドグループ）上で、互いに干渉することなしに基地局に同時に伝送することができる。順方向リンクに関して、基地局は、Ｓ個のサブバンド集合上で、干渉なしにＳ名のユーザに伝送することができる。
【００３２】
図４は、順方向リンクおよび／または逆方向リンクのために使用されることが可能なＦＨ（周波数ホッピング）スキーム４００を示す。周波数ホッピングは、周波数ダイバーシチおよび干渉のランダム化を提供することができる。周波数ホッピングでは、ユーザには、各タイムスロットにおいて、もし使用するとすれば、いずれのサブバンド集合を使用すべきかを示すホップパターンに関連付けられたトラフィックチャネルが、割り当てられることが可能である。ホップパターンは、ＦＨパターンまたはＦＨシーケンスとも呼ばれ、タイムスロットは、ホップ周期とも呼ばれる。タイムスロットは、所与のサブバンド集合に費やされる時間の量であり、通常、複数のシンボル周期にわたる。ホップパターンは、異なるタイムスロットにおける異なるサブバンド集合を擬似ランダムに選択することができる。
【００３３】
或る実施形態では、各リンクに関して１つのチャネル集合が定義される。各チャネル集合は、いずれの２つのトラフィックチャネルも、任意の所与のタイムスロットにおける同一のサブバンド集合にマップされることがないように、互いに直交であるＳ個のトラフィックチャネルを含む。これにより、同一のチャネル集合におけるトラフィックチャネルに割り当てられたユーザ間のセル／セクタ内の干渉が回避される。各トラフィックチャネルは、そのトラフィックチャネルに関するホップパターンに基づき、時間−周波数ブロックの特定のシーケンスにマップされる。時間−周波数ブロックは、特定のタイムスロットにおけるサブバンドの特定の集合である。この実施形態の場合、最大でＳ名までのユーザに、Ｓ個のトラフィックチャネルが割り当てられることが可能であり、互いに直交である。また、複数のユーザに、同一のトラフィックチャネルが割り当てられることも可能であり、これらの重なり合うユーザは、時間−周波数ブロックの同一のシーケンスを共有する。
【００３４】
別の実施形態では、複数のチャネル集合が、各リンクに関して定義されることが可能である。各チャネル集合は、Ｓ個の直交トラフィックチャネルを含む。各チャネル集合におけるＳ個のトラフィックチャネルは、残りのチャネル集合の各々におけるＳ個のトラフィックチャネルに対して擬似ランダムであることが可能である。これにより、異なるチャネル集合におけるトラフィックチャネルが割り当てられたユーザ間の干渉がランダム化される。
【００３５】
図４は、時間−周波数ブロックのシーケンスに対するトラフィックチャネル１の例示的なマッピングを示す。トラフィックチャネル２ないしＳは、トラフィックチャネル１の時間−周波数ブロックのシーケンスの垂直にシフトされた（ｖｅｒｔｉｃａｌｌｙ  ｓｈｉｆｔｅｄ）バージョンおよび回転されてシフトされた（ｃｉｒｃｕｌａｒｌｙ  ｓｈｉｆｔｅｄ）バージョンにマップされることが可能である。例えば、トラフィックチャネル２は、タイムスロット１におけるサブバンド集合２、タイムスロット２におけるサブバンド集合５などにマップされることが可能である。
【００３６】
一般に、複数のユーザが、決定論的に（例えば、同一のトラフィックチャネルを共有することにより）、擬似ランダムに（例えば、２つの擬似ランダムなトラフィックチャネルを使用することにより）、またはこの両方の組み合わせで重なり合うことが可能である。
【００３７】
準直交ＳＣ−ＦＤＭＡでは、複数の送信機が、所与の時間−周波数ブロック上で伝送することが可能である。これらの送信機に関するトラフィックデータ、シグナリング、および／またはパイロットは、ＣＤＭ、ＴＤＭ（時間分割多重化）、ＦＤＭ（周波数分割多重化）、ＬＦＤＭ（局所型周波数分割多重化）、および／または他の何らかの多重化スキームを使用して多重化されることが可能である。
【００３８】
図５は、ＣＤＭが、複数のシンボルにわたって適用された伝送スキーム５００を示す。複数（Ｑ個）の送信機が、同一の時間−周波数ブロックにマップされ、異なるＱ個の拡散符号を割り当てられる。拡散符号は、ウォルシュ符号、ＯＶＳＦ符号、直交符号、擬似ランダム符号などであることが可能である。各拡散符号は、｛ｃ１，ｃ２，．．．，ｃＬ｝と表されるＬ個のチップのシーケンスであり、ただし、Ｌ≧Ｑである。ＣＤＭは、（１）ＳＣ−ＦＤＭＡ変調に先立って変調シンボルに、または（２）ＳＣ−ＦＤＭＡ変調後にＳＣ−ＦＤＭＡシンボルに適用されることが可能である。ＳＣ−ＦＤＭＡ変調に先立つＣＤＭの場合、変調シンボルのシーケンス｛ｄｔ，１，ｄｔ，２，．．．，ｄｔ，Ｎ｝が、Ｌ回、繰り返され、そのＬ回繰り返されたシーケンスは、割り当てられた拡散符号のＬ個のチップと乗算されて、スケーリングされた（ｓｃａｌｅｄ）変調シンボルのＬ個のシーケンスが生成される。次に、スケーリングされた変調シンボルの各シーケンスに関してＳＣ−ＦＤＭＡシンボルが、生成され、１つのシンボル周期において伝送される。ＳＣ−ＦＤＭＡ変調後のＣＤＭの場合、Ｋ＋Ｃ個の出力サンプルを含むＳＣ−ＦＤＭＡシンボルＸｔが、Ｌ回、繰り返され、そのＬ回繰り返されたＳＣ−ＦＤＭＡシンボルは、拡散符号のＬ個のチップと乗算されて、スケーリングされたＬ個のＳＣ−ＦＤＭＡシンボルＸｔ・ｃ１ないしＸｔ・ｃＬが生成され、これらのシンボルが、Ｌ個のシンボル周期において伝送される。
【００３９】
図５に示される例の場合、最初のＳＣ−ＦＤＭＡシンボルＸ１が、Ｌ個のチップｃ１ないしｃＬと乗算されて、シンボル周期１ないしＬにおいて伝送され、次のＳＣ−ＦＤＭＡシンボルＸ２が、Ｌ個のチップｃ１ないしｃＬと乗算されて、シンボル周期Ｌ＋１ないし２Ｌにおいて伝送されるといった具合である。各ＳＣ−ＦＤＭＡシンボルＸｔは、トラフィックデータのため、シグナリングのため、パイロットのため、またはこれらの組み合わせのためであることが可能である。
【００４０】
複数のシンボル周期にまたがるＣＤＭの場合、無線チャネルは、ＳＣ−ＦＤＭＡシンボルを伝送するのに使用されるＬ個のシンボル周期にわたって静的であるものと想定される。ＳＣ−ＦＤＭＡシンボルＸｔを復元するのに、受信機は、そのＳＣ−ＦＤＭＡシンボルに関して受信されスケーリングされたＬ個のＳＣ−ＦＤＭＡシンボルに、割り当てられた拡散符号のＬ個のチップを乗算する。次に、受信機は、結果として生じるＬ個のＳＣ−ＦＤＭＡシンボルを累算して、ＳＣ−ＦＤＭＡシンボルＸｔに関する受信されたＳＣ−ＦＤＭＡシンボルを得る。
【００４１】
図６は、２チップ拡散符号を使用する２つの送信機に関する伝送を示す。図６に示される例の場合、各送信機は、シンボル周期１および２においてシグナリングを送信し、次に、シンボル周期３ないしｔ−１においてトラフィックデータを伝送し、次に、シンボル周期ｔおよびｔ＋１においてパイロットを伝送し、次に、シンボル周期ｔ＋２ないしＴにおいてトラフィックデータを伝送する。各送信機は、例えば、図３Ａまたは図３Ｂに示されるとおり、通常の仕方でＳＣ−ＦＤＭＡシンボルを生成する。送信機１は、｛＋１，＋１｝という拡散符号を割り当てられ、シグナリングのためのＳＣ−ＦＤＭＡシンボルに＋１および＋１を乗算して、スケーリングされた２つのＳＣ−ＦＤＭＡシンボルを生成し、これらのスケーリングされた２つのＳＣ−ＦＤＭＡシンボルをシンボル周期１および２において伝送する。また、送信機１は、パイロットのためのＳＣ−ＦＤＭＡシンボルにも＋１および＋１を乗算して、スケーリングされた２つのＳＣ−ＦＤＭＡシンボルを生成し、これらのスケーリングされた２つのＳＣ−ＦＤＭＡシンボルをシンボル周期ｔおよびｔ＋１において伝送する。送信機２は、｛＋１，−１｝という拡散符号を割り当てられ、シグナリングのためのＳＣ−ＦＤＭＡシンボルに＋１および−１を乗算して、スケーリングされた２つのＳＣ−ＦＤＭＡシンボルを生成し、これらのスケーリングされた２つのＳＣ−ＦＤＭＡシンボルをシンボル周期１および２において伝送する。また、送信機２は、パイロットのためのＳＣ−ＦＤＭＡシンボルにも＋１および−１を乗算して、スケーリングされた２つのＳＣ−ＦＤＭＡシンボルを生成し、これらのスケーリングされた２つのＳＣ−ＦＤＭＡシンボルをシンボル周期ｔおよびｔ＋１において伝送する。図６に示される例の場合、送信機１および２は、ＣＤＭなしにトラフィックデータのためのＳＣ−ＦＤＭＡシンボルを伝送する。
【００４２】
図６は、１つの時間−周波数ブロックにおけるトラフィックデータ、シグナリング、およびパイロットの伝送を示す。一般に、任意のタイプのデータが、所与の時間−周波数ブロックにおいて伝送されることが可能である。例えば、トラフィックデータおよびパイロットが、送信機に割り当てられた各時間−周波数ブロックにおいて伝送されることが可能であり、シグナリングが、必要に応じて、例えば、ｊ番目ごとの時間−周波数ブロックにおいて周期的に伝送されることが可能であり、ただし、ｊは、任意の整数値であることが可能である。
【００４３】
図７は、ＣＤＭが複数のサンプルにわたって適用された伝送スキーム７００を示す。Ｄ個の変調シンボルが、１つのシンボル周期におけるＮ個のサブバンドの１つの集合上で送信されることが可能であり、ただし、Ｄ≧１であり、Ｄは、Ｎの整除数であっても、そうでなくてもよい。各変調シンボルは、トラフィックデータのため、シグナリングのため、またはパイロットのためであることが可能である。各変調シンボルは、Ｌ回、繰り返され、そのＬ回繰り返されたシンボルが、割り当てられた拡散符号のＬ個のチップと乗算されて、スケーリングされたＬ個の変調シンボルが生成される。簡明のため、図７は、１つのシンボル周期における１つのＳＣ−ＦＤＭＡシンボルの伝送を示し、Ｄは、Ｎの整除数であり、つまり、Ｄ＝Ｎ／Ｌである。第１の変調シンボルｄ１に、Ｌ個のチップｃ１ないしｃＬが乗算されて、スケーリングされたＬ個の変調シンボルｓ１＝ｄ１・ｃ１ないしｓＬ＝ｄ１・ｃＬが得られ、次の変調シンボルｄ２に、Ｌ個のチップｃ１ないしｃＬが乗算されて、Ｌ個の変調シンボルｓＬ＋１＝ｄ２・ｃ１ないしｓ２Ｌ＝ｄ２・ｃＬが得られ、以下同様であり、最後の変調シンボルｄＮ／Ｌに、Ｌ個のチップｃ１ないしｃＬが乗算されて、スケーリングされたＬ個の変調シンボルｓＮ−Ｌ＋１＝ｄＮ／Ｌ・ｃ１ないしｓＮ＝ｄＮ／Ｌ・ｃＬが得られる。ＳＣ−ＦＤＭＡシンボルは、スケーリングされたＮ個の変調シンボルｓ１ないしｓＮに基づいて生成されることが可能である。Ｌ＝Ｎである場合、１つの変調シンボルが、或るシンボル周期におけるＮ個すべてのサンプルにわたって送信される。
【００４４】
所与の変調シンボルｄｎを復元するのに、受信機は、その変調シンボルに関して受信されスケーリングされたＬ個の変調シンボルに、割り当てられた拡散符号のＬ個のチップを乗算する。次に、受信機は、もたらされるＬ個のシンボルを累算して、変調シンボルｄｎに関する受信された変調シンボルを得る。
【００４５】
図８は、ＣＤＭが、複数のサンプルと複数のシンボルにわたって適用された伝送スキーム８００を示す。変調シンボルｄが、複数のシンボル周期におけるＮ個のサブバンドの１つの集合上で送信されることが可能である。変調シンボルは、Ｌ回、繰り返され、割り当てられた拡散符号のＬ個すべてのチップが乗算されて、スケーリングされたＬ個の変調シンボルが生成される。簡明のため、図８は、Ｌが、Ｎの整数の倍数であり、変調シンボルが、Ｌ／Ｎ個のシンボル周期において送信される場合を示す。変調シンボルｄに、割り当てられた拡散符号の最初のＮ個のチップｃ１ないしｃＮが乗算されて、最初のＳＣ−ＦＤＭＡシンボルに関するスケーリングされたＮ個の変調シンボルｓ１＝ｄ・ｃ１ないしｓＮ＝ｄ・ｃＮが得られ、次のＮ個のチップｃＮ＋１ないしｃ２Ｎが乗算されて、２番目のＳＣ−ＦＤＭＡシンボルに関するスケーリングされたＮ個の変調シンボルｓＮ＋１＝ｄ・ｃＮ＋１ないしｓ２Ｎ＝ｄ・ｃ２Ｎが得られ、以下同様であり、最後のＮ個のチップｃＬ−Ｎ＋１ないしｃＬが乗算されて、最後のＳＣ−ＦＤＭＡシンボルに関するスケーリングされたＮ個の変調シンボルｓＬ−Ｎ＋１＝ｄ・ｃＬ−Ｎ＋１ないしｓＬ＝ｄ・ｃＬが得られる。ＳＣ−ＦＤＭＡシンボルは、スケーリングされたＮ個の変調シンボルの各シーケンスに関して生成されることが可能である。
【００４６】
複数のシンボルと複数のサンプルにわたって送信された変調シンボルｄを復元するのに、受信機は、その変調シンボルに関して受信されスケーリングされたＬ個の変調シンボルに、割り当てられた拡散符号のＬ個のチップを乗算する。次に、受信機は、結果として生じるＬ個のシンボルを累算して、変調シンボルｄに関する受信された変調シンボルを得る。
【００４７】
図５ないし図８は、時間領域においてＣＤＭを適用するための様々なスキームを示す。時間領域においてＣＤＭを適用するための他のスキームが、実施されることも可能であり、これは、本発明の範囲内に含まれる。例えば、ＣＤＭが、或るＳＣ−ＦＤＭＡシンボルの一部分だけにおける複数のサンプル、例えば、ＳＣ−ＦＤＭＡシンボルの最初のＬ個のサンプルにわたって適用されることが可能である。別の例として、ＣＤＭが、いくつかのサンプル・インデックスに関する複数のシンボルにわたって適用され、他のサンプル・インデックスに関して適用されないことが可能である。さらに別の例として、ＣＤＭは、複数の変調シンボルに適用されることが可能であり、各変調シンボルは、複数のサンプルと複数のシンボルの両方にわたって送信されることが可能である。
【００４８】
また、ＣＤＭは、周波数領域において複数のサブバンドにわたって適用されることも可能である。Ｄ個の変調シンボルが、１つのシンボル周期におけるＮ個のサブバンドの１つの集合上で送信されることが可能であり、ただし、Ｄ≧１であり、Ｄは、Ｎの整除数であっても、そうでなくてもよい。ＤポイントのＤＦＴが、Ｄ個の変調シンボルに対して実行されて、Ｄ個の周波数領域値が得られることが可能である。次に、各周波数領域値が、Ｌ回、繰り返されて、そのＬ回繰り返された値に、割り当てられた拡散符号のＬ個のチップが乗算されて、スケーリングされたＬ個の値が生成される。スケーリングされた合計Ｎ個の値が、Ｄ個の周波数領域値に関して得られて、伝送のために使用されるＮ個のサブバンド上にマップされる。０値が、残りのサブバンド上にマップされる。次に、ＫポイントのＩＤＦＴが、スケーリングされたＫ個の値、および０値に対して実行されて、Ｋ個の時間領域出力サンプルが生成される。ＳＣ−ＦＤＭＡシンボルは、そのＫ個の出力サンプルに巡回プレフィックスを付加することによって形成される。複数のサブバンドにまたがるＣＤＭは、図７に示される複数のサンプルにまたがるＣＤＭと同様であるが、垂直軸は、（サンプル周期の代わりに）サブバンドを表し、ｄ１ないしｄＮ／Ｌは、（変調シンボルの代わりに）Ｄ個の周波数領域値を表す。
【００４９】
複数のサブバンドにまたがるＣＤＭの場合、無線チャネルは、Ｌチップの拡散符号が適用されるサブバンドであり、周波数領域値を伝送するのに使用されるＬ個のサブバンドにわたって静的であるものと想定される。Ｄ個の変調シンボルを復元するのに、受信機は、ＳＣ−ＦＤＭＡシンボルに関するＫ＋Ｃ個の入力サンプルを取得し、巡回プレフィックスを除去し、Ｋ個の入力サンプルに対してＫポイントのＤＦＴを実行して、Ｋ個の受信された値を取得し、伝送のために使用されたＮ個のサブバンドに関する受信されたＮ個の値を保持する。次に、受信機は、伝送された各周波数領域値に関する受信されたＬ個の値に、拡散符号のＬ個のチップを乗算して、結果として生じるＬ個の値を累算して、伝送された周波数領域値に関する受信された周波数領域値を得る。次に、受信機は、受信されたＤ個の周波数領域値に対してＤポイントのＩＤＦＴを実行して、受信されたＤ個の変調シンボルを得る。
【００５０】
一般に、ＣＤＭは、時間領域において（例えば、図５ないし図８に示されるとおり）、または周波数領域において適用されることが可能である。時間領域においてＣＤＭを適用することは、周波数領域においてＣＤＭを適用することと比べて、より低いＰＡＲＲ（ピーク対平均電力比）をもたらす可能性がある。
【００５１】
送信機は、スケーリングされた変調シンボルおよび／またはスケーリングされていない変調シンボルに対してスクランブルを実行することができる。各送信機には、他の送信機に割り当てられたスクランブル符号に対して擬似ランダムであるスクランブル符号が割り当てられることが可能である。送信機ｍは、ＳＣ−ＦＤＭＡ変調に先立って、（スケーリングされた、またはスケーリングされていない）各変調シンボルに、割り当てられたスクランブル符号Ｓｍのチップを乗算することができる。このスクランブルは、同一の時間−周波数ブロック上で伝送している他の送信機に対して、送信機ｍによってもたらされる干渉をランダム化する。また、スクランブルは、受信機が、下記で説明するとおり、（例えば、異なるセクタが、異なるスクランブル符号を使用し、或るセクタ内のすべての送信機が、同一のスクランブル符号を使用する場合）割り当てられていない拡散符号に基づき、他のセルからの干渉を推定することも可能にする。スクランブルは、すべてのタイプのデータ、いくつかのタイプのデータ、ＣＤＭを使用して送信されたデータなどに対して実行されることが可能である。
【００５２】
前述の説明において、異なるタイプのデータのためのＳＣ−ＦＤＭＡシンボルは、同一の持続時間を有し、各ＳＣ−ＦＤＭＡシンボルは、Ｋ＋Ｃ個のサンプル周期において伝送される。異なる持続時間のＳＣ−ＦＤＭＡシンボルが、異なるタイプのデータのために生成されてもよい。
【００５３】
図９は、異なるタイプのデータに関して異なるシンボル持続時間を使用する伝送スキーム９００を示す。伝送スキーム９００に関して、トラフィックデータのためのＳＣ−ＦＤＭＡシンボルは、ＮＴ個のサンプル周期において伝送されるＮＴ個の出力サンプルによって構成され、シグナリングのためのＳＣ−ＦＤＭＡシンボルは、ＮＳ個のサンプル周期において伝送されるＮＳ個の出力サンプルによって構成され、パイロットのためのＳＣ−ＦＤＭＡシンボルは、ＮＰ個のサンプル周期において伝送されるＮＰ個の出力サンプルによって構成され、ただし、ＮＴ、ＮＳ、およびＮＰはそれぞれ、任意の整数値であることが可能である。例えば、ＮＴは、Ｋ＋Ｃと等しいことが可能であり、ＮＳは、Ｋ／ＭＳ＋Ｃと等しいことが可能であり、ＮＰは、Ｋ／ＭＰ＋Ｃと等しいことが可能であり、ただし、ＭＳおよびＭＰはそれぞれ、任意の整数値であることが可能である。例として、パイロットのための短縮されたＳＣ−ＦＤＭＡシンボルは、トラフィックデータのための通常のＳＣ−ＦＤＭＡシンボルの持続時間の半分（巡回プレフィックスをカウントしないで）を有することが可能である。この場合、パイロットのための合計Ｋ／２個の「より幅の広い」サブバンドが存在し、より幅の広い各サブバンドは、トラフィックデータのための「通常の」サブバンドの２倍の幅を有する。特定の例として、Ｋは、５１２に等しいことが可能であり、Ｃは、３２に等しいことが可能であり、ＮＴは、Ｋ＋Ｃ＝５４４に等しいことが可能であり、ＮＳは、Ｋ／２＋Ｃ＝２８８に等しいことが可能であり、ＮＰもＫ／２＋Ｃ＝２８８に等しいことが可能である。ＮＴ個、ＮＳ個、またはＮＰ個の出力サンプルを有するＳＣ−ＦＤＭＡシンボルは、例えば、図３Ａに示されるとおり、生成されることが可能である。
【００５４】
ＬＦＤＭＡの場合、短縮されたＳＣ−ＦＤＭＡシンボルと通常のＳＣ−ＦＤＭＡシンボルは、システム帯域幅の同一の部分を占有することが可能である。ＩＦＤＭＡの場合、所与のインタレースに関して、短縮されたＳＣ−ＦＤＭＡシンボルに関する、より幅の広いサブバンドと、通常のＳＣ−ＦＤＭＡシンボルに関する通常のサブバンドとの間に、直接のマッピングは、全く存在しない。より幅の広いＮ個のサブバンドが、複数のインタレースを使用して形成されて、より幅の広いサブバンドの複数の部分集合に分割されることが可能であり、これらが、これらのインタレースに割り当てられた複数の送信機に割り振られることが可能である。各送信機は、より幅の広いサブバンドの割り当てられた部分集合上にマップされた変調シンボルを使用して、短縮されたＩＦＤＭＡシンボルを生成することができる。
【００５５】
ＣＤＭは、異なる持続時間のＳＣ−ＦＤＭＡシンボルに適用されることも可能である。図９に示される例の場合、短縮されたＳＣ−ＦＤＭＡシンボルが、パイロットのために生成され、ＣＤＭを使用して、短縮されたＬ個のシンボル周期において送信されて、パイロットのオーバヘッドの量を低減することが可能である。また、短縮されたＳＣ−ＦＤＭＡシンボルが、シグナリングのために生成され、ＣＤＭを使用して、短縮されたＬ個のシンボル周期において送信されることも可能である。トラフィックデータは、通常のＳＣ−ＦＤＭＡシンボルを使用して送信されることが可能である。
【００５６】
一般に、ＣＤＭは、任意のタイプのデータ、例えば、トラフィックデータ、シグナリング、および／またはパイロットに適用されることが可能である。例えば、ＣＤＭは、図６に示されるとおり、シグナリングおよびパイロットに適用されるが、トラフィックデータには適用されないことが可能である。別の例として、ＣＤＭは、シグナリング（例えば、制御チャネルに関する）に適用されるが、トラフィックデータまたはパイロットには適用されないことが可能である。また、ＣＤＭは、タイムスロットの一部分に（図６に示されるとおり）、または時間−周波数ブロック全体にわたって（例えば、図５に示されるとおり）適用されることも可能である。また、ＣＤＭは、選択的に適用されること、例えば、劣悪なチャネル条件の下では適用されるが、良好なチャネル条件の下では適用されないことも可能である。
【００５７】
ＣＤＭは、劣悪なチャネル条件において送信された伝送に関する信頼性を向上させることが可能である。送信機は、規制機関または設計限度によって課されるかもしれない或る最大送信電力レベルによって制約される可能性がある。この場合、ＣＤＭ伝送スキームは、送信機が、より長い時間間隔にわたってＳＣ−ＦＤＭＡシンボルを送信することを可能にする。これにより、受信機が、ＳＣ−ＦＤＭＡシンボルに関する、より多くのエネルギーを集約することが可能になり、このことにより、受信機が、より低いＳＮＲにおいて検出を実行すること、および／または、より高い品質のチャネル推定を導き出すことができるようになる。また、ＣＤＭは、他の送信機にもたらされる干渉を白色化する（ｗｈｉｔｅｎ）こともでき、これにより、これらの他の送信機に関するパフォーマンスが向上する可能性がある。
【００５８】
図１０は、ＣＤＭを使用してＳＣ−ＦＤＭＡシンボルを伝送するためのプロセス１０００を示す。トラフィックデータ、シグナリング、およびパイロットのための変調シンボルが、生成される（ブロック１０１２）。ＣＤＭが、割り当てられた拡散符号Ｃｍを使用して、トラフィックデータ、シグナリング、および／またはパイロットのための変調シンボルの上で実行される（ブロック１０１４）。ＣＤＭは、伝送のために複数の送信機によって使用されるシンボル周期にわたって実行されることが可能である。また、ＣＤＭは、複数のシンボルにまたがって、複数のサンプルにまたがって、複数のサンプルと複数のシンボルの両方にまたがって、複数のサブバンドにまたがってといった具合に実行されることも可能である。拡散の後、スクランブルが、割り当てられたスクランブル符号Ｓｍを使用して実行されることが可能である（ブロック１０１６）。同一の持続時間、または異なる持続時間のＳＣ−ＦＤＭＡシンボルが、トラフィックデータ、シグナリング、およびパイロットのために生成されて（ブロック１０１８）、受信機に伝送される。
【００５９】
図１１は、ＣＤＭを使用して伝送されたＳＣ−ＦＤＭＡシンボルを受信するためのプロセス１１００を示す。ＳＣ−ＦＤＭＡシンボルが、複数の送信機によって送信されたトラフィックデータ、シグナリング、およびパイロットに関して受信される（ブロック１１１２）。ＣＤＭを使用して伝送されたデータは、各送信機に関して別々に復元されることが可能である。１つの送信機ｍに関する処理は、以下のとおり、実行されることが可能である。ＳＣ−ＦＤＭＡ復調が、実行されて、送信機ｍに関する受信されたシンボルが得られる（ブロック１１１４）。逆スクランブルが、送信機ｍに割り当てられたスクランブル符号Ｓｍを使用して、受信されたシンボルに対して実行される（該当する場合）（ブロック１１１６）。逆拡散が、送信機ｍに割り当てられた拡散符号Ｃｍに基づき、ＣＤＭを使用して送信されたＳＣ−ＦＤＭＡシンボルに対して実行される（ブロック１１１８）。干渉推定値が、いずれの送信機にも割り当てられていない拡散符号に基づき、導き出されることが可能である（ブロック１１２０）。チャネル推定値が、送信機ｍに関する受信されたパイロットに基づき、その送信機に関して導き出されることが可能である（ブロック１１２２）。チャネル推定値および干渉推定値は、データ検出（例えば、等化）、受信機の空間処理などのために使用されることが可能である（ブロック１１２４）。例えば、コヒーレントなデータ検出、またはコヒーレントでないデータ検出が、ＣＤＭを使用して送信されたシグナリングに関して実行されることが可能であり、受信機の空間処理が、ＣＤＭなしに送信されたトラフィックデータに関して実行されることが可能である。
【００６０】
受信機は、ＣＤＭが適用されているシンボル周期中の干渉推定値を導き出すことが可能である。Ｌ個の拡散符号が、利用可能であり、Ｑ個の拡散符号が、送信機に割り当てられており、ただし、Ｑ＜Ｌである場合、受信機は、Ｌ−Ｑ個の割り当てられていない拡散符号に基づき、干渉推定値を導き出すことができる。例えば、１つまたは複数の拡散符号が、干渉推定のために予約されて、いずれの送信機にも割り当てられないことが可能である。ＣＤＭが適用されるシンボル周期にわたり、受信機は、割り当てられたＱ個の拡散符号のそれぞれを使用して逆拡散を実行して、送信機によって送信された伝送を復元する。また、受信機は、割り当てられていないＬ−Ｑ個の拡散符号のそれぞれを使用して逆拡散を実行して、その割り当てられていない拡散符号に関する干渉推定値を得ることもできる。複数のシンボルにまたがるＣＤＭの場合、割り当てられていない拡散符号に関する干渉推定値は、以下のとおり、導き出されることが可能である。すなわち、
【数２】
0005571131.tif 000003
【００６１】
ただし、ｒ（ｔｉ，ｎ）は、シンボル周期ｔｉにおけるサンプル周期ｎに関する受信されたシンボルであり、
ｃｉ，ｊは、第ｊ番目の割り当てられていない拡散符号の第ｉ番目のチップであり、
Ｎｊは、第ｊ番目の割り当てられていない拡散符号に関する干渉推定値である。
【００６２】
式（２）は、Ｌ個のシンボル周期ｔ１ないしｔＬにわたって受信されたシンボルを逆拡散して、累算し、それらの結果を、Ｎ個のサンプル周期にわたって、さらに平均する。受信機は、以下のとおり、割り当てられていないＬ−Ｑ個すべての拡散符号に関する干渉推定値を平均して、平均干渉推定値
【数３】
0005571131.tif 000004
【００６３】
を以下のとおり得ることができる。すなわち、
【数４】
0005571131.tif 000005
【００６４】
また、受信機は、複数のサンプルにまたがるＣＤＭ、および複数のサンプルと複数のシンボルの両方にまたがるＣＤＭに関する干渉推定値を導き出すこともできる。一般に、受信機は、送信機によって実行される拡散と相補的な仕方で、複数のサンプルおよび／または複数のシンボルにまたがる逆拡散を行うことができ、次に、それらの逆拡散された結果を、複数のサンプルおよび／または複数のシンボルにわたって累算することができる。
【００６５】
受信機は、所与の時間−周波数ブロックにおける複数のサンプル、複数のシンボル、および／または複数のサブバンドにわたって干渉推定値を平均して、短期の干渉推定値を得ることができる。また、受信機は、複数の時間−周波数ブロックにわたって干渉推定値を平均して、長期の干渉推定値を得ることもできる。受信機は、チャネル推定、データ検出、受信機の空間処理などのために短期の干渉推定値を使用することができる。受信機は、動作条件を確かめるため、かつ／またはその他の目的のために長期の干渉推定値を使用することができる。
【００６６】
チャネル推定に関して、受信機は、所与の送信機によってパイロット伝送のために使用された各シンボル周期に関する受信されたＳＣ−ＦＤＭＡシンボルを得る。受信機は、受信されたＳＣ−ＦＤＭＡシンボルから巡回プレフィックスを除去し、ＳＣ−ＦＤＭＡ復調、逆スクランブルおよび逆拡散を実行し、パイロット伝送のために使用されたサブバンドに関する受信されたパイロット値を得ることができる。受信されたパイロット値は、以下のとおり表現されることが可能である。すなわち、
【数５】
0005571131.tif 000006
【００６７】
ただし、Ｐ（ｋ）は、サブバンドｋに関する伝送されたパイロット値であり、
Ｈ（ｋ）は、サブバンドｋに関する無線チャネルに関する複素利得であり、
Ｒｐ（ｋ）は、サブバンドｋに関する受信されたパイロット値であり、
Ｎ（ｋ）は、サブバンドｋに関する雑音および干渉であり、
Ｋｐは、パイロット伝送のために使用されたサブバンドの集合である。
【００６８】
受信機は、例えば、前述したとおり、割り当てられていない拡散符号に基づくＮ（ｋ）を推定することができる。代替として、Ｎ（ｋ）は、ゼロ平均値、およびＮ０の分散を有するＡＷＧＮ（加法的白色ガウス雑音）であるものと想定されることが可能である。
【００６９】
受信機は、ＭＭＳＥ（最小２乗平均誤差）技術、または他の何らかの技術を使用して無線チャネルの周波数応答を推定することができる。ＭＭＳＥ技術の場合、受信機は、以下のとおり、無線チャネルに関する初期の周波数応答推定値を導き出すことができる。すなわち、
【数６】
0005571131.tif 000007
【００７０】
ただし、
【数７】
0005571131.tif 000008
【００７１】
は、サブバンドｋに関するチャネル利得推定値であり、「＊」は、複素共役を表す。ｋのすべての値に関して｜Ｐ（ｋ）｜＝１である場合、式（５）は、以下のとおり、表現されることが可能である。すなわち、
【数８】
0005571131.tif 000009
【００７２】
また、受信機は、他の仕方でチャネル推定値を導き出すこともできる。
【００７３】
データ検出に関して、受信機は、送信機によってデータ伝送のために使用された各シンボル周期に関する受信されたＳＣ−ＦＤＭＡシンボルを得る。受信機は、受信されたＳＣ−ＦＤＭＡシンボルから巡回プレフィックスを除去し、ＳＣ−ＦＤＭＡ復調、逆スクランブルおよび逆拡散を実行し、データ伝送のために使用されたサブバンドに関する受信されたデータ値を得ることができる。受信されたデータ値は、以下のとおり、表現されることが可能である。すなわち、
【数９】
0005571131.tif 000010
【００７４】
ただし、Ｄ（ｋ）は、サブバンドｋに関する伝送されたデータ値であり、
Ｒｄ（ｋ）は、サブバンドｋに関する受信されたデータ値であり、
Ｋｄは、データ伝送のために使用されたサブバンドの集合である。
【００７５】
受信機は、以下のとおり、ＭＭＳＥ技術を使用して、受信されたデータ値に対して周波数領域においてデータ検出（または等化）を実行することができる。すなわち、
【数１０】
0005571131.tif 000011
【００７６】
ただし、Ｚｄ（ｋ）は、サブバンドｋに関する検出されたデータ値である。式（８）は、１つのアンテナに関するデータ検出に関する。複数のアンテナに関して、受信機は、（１）同一のシンボル周期において伝送するすべての送信機に関するチャネル推定値、および（２）場合により、干渉推定値、に基づき、空間フィルター行列を導き出すことができる。次に、受信機は、その空間フィルター行列に基づく受信機の空間処理を実行して、各送信機に関する検出されたデータ値を得ることができる。すべてのデータサブバンドに関する検出されたデータ値が、ＩＤＦＴ／ＩＦＦＴを使用して変換されて、データシンボル推定値が得られる。
【００７７】
図１２は、送信機１１０ｍの実施形態を示す。ＴＸデータ−パイロットプロセッサ１２０ｍ内部で、符号化器１２１２が、トラフィックデータに関して選択された符号化スキームに基づき、トラフィックデータを符号化する。インタリーバ１２１４が、インタリーブスキームに基づき、符号化されたトラフィックデータをインタリーブする、つまり、並べ替える。シンボルマッパ１２１６が、インタリーブされたデータビットを、トラフィックデータのために選択された変調スキームに基づく変調シンボルにマップする。符号化器１２２２が、シグナリングのために選択された符号化スキームに基づき、シグナリングを符号化する。インタリーバ１２２４が、インタリーブスキームに基づき、その符号化されたシグナリングをインタリーブする。シンボルマッパ１２２６が、そのインタリーブされたシグナリングビットを、シグナリングのために選択された変調スキームに基づく変調シンボルにマップする。パイロット生成器１２３２が、例えば、良好な時間特性（例えば、一定の時間領域エンベロープ）と、良好なスペクトル特性（例えば、平坦な周波数スペクトル）とを有する多相シーケンスに基づき、パイロットのための変調シンボルを生成する。Ｍｕｘ（多重化装置）１２３８が、トラフィックデータ、シグナリング、およびパイロットのための変調シンボルを、適切なサンプル周期およびシンボル周期の上に多重化する。
【００７８】
ＴＸ  ＣＤＭプロセッサ１２２ｍは、ＣＤＭのための拡散、およびスクランブルを実行する。ＣＤＭ拡散器１２４０内部で、繰り返しユニット１２４２が、ＣＤＭを使用して送信されるべき変調シンボルを繰り返す。乗算器１２４４が、それらの繰り返されるシンボルを、割り当てられた拡散符号ＣｍのＬ個のチップと乗算して、スケーリングされた変調シンボルを提供する。異なるタイプのデータに関して、同一の拡散符号が使用されても、異なる拡散符号が使用されてもよい。多重化装置１２４６が、プロセッサ１２０ｍからの、スケーリングされていない変調シンボル、およびＣＤＭ拡散器１２４０からのスケーリングされた変調シンボルを受け取り、ＣＤＭが適用されない場合、スケーリングされていない変調シンボルを提供し、ＣＤＭが適用される場合、スケーリングされた変調シンボルを提供する。乗算器１２４８が、多重化装置１２４６からの変調シンボルを、割り当てられたスクランブル符号Ｓｍと乗算し、処理済みの変調シンボルを提供する。
【００７９】
コントローラ／プロセッサ１４０ｍ内部で、ＦＨ生成器が、例えば、送信機１１０ｍに割り当てられたホップパターンに基づき、各タイムスロットにおける伝送のために使用すべきサブバンドの集合を決定する。それらの変調シンボルが、割り当てられたサブバンド上で送信されるように、トラフィックデータ、シグナリング、およびパイロットのためのＳＣ−ＦＤＭＡシンボルをＳＣ−ＦＤＭＡ変調器１３０ｍが生成する。
【００８０】
図１３は、ＣＤＭを使用して送信されるデータに関する受信機１５０におけるＳＣ−ＦＤＭＡ復調器１６０、ＲＸ  ＣＤＭプロセッサ１６２、およびＲＸデータプロセッサ１６４の実施形態を示す。簡明のため、図１５は、１つの送信機ｍによって送信されたデータを復元する処理を示す。
【００８１】
ＳＣ−ＦＤＭＡ復調器１６０内部で、Ｒ個のＳＣ−ＦＤＭＡ復調器１３１０ａないし１３１０ｒが、Ｒ個の逆多重化装置１５６ａないし１５６ｒから、それぞれ、入力サンプルを受け取る。各ＳＣ−ＦＤＭＡ復調器１３１０が、入力サンプルに対してＳＣ−ＦＤＭＡ復調を実行して、受信されたシンボルを提供する。ＲＸ  ＣＤＭプロセッサ１６２内部で、Ｒ個の乗算器１３１８ａないし１３１８ｒが、ＳＣ−ＦＤＭＡ復調器１３１０ａないし１３１０ｒから、それぞれ、受信されたシンボルを得る。各受信アンテナに関して、乗算器１３１８は、受信されたシンボルを、送信機ｍに割り当てられたスクランブル符号Ｓｍと乗算する。ＣＤＭ逆拡散器（ｄｅｓｐｒｅａｄｅｒ）１３２０が、送信機ｍに関する逆拡散を実行する。ＣＤＭ逆拡散器１３２０内部で、乗算器１３２２が、乗算器１３１８からの逆スクランブルされたシンボルを、送信機ｍに割り当てられた拡散符号Ｃｍと乗算する。累算器１３２４が、拡散符号の全長にわたって乗算器１３２２の出力を累算し、逆拡散されたシンボルを提供する。ＣＤＭ逆拡散器１３３０が、割り当てられていない拡散符号の各々に関して、逆拡散を実行する。干渉推定器１３３２が、例えば、式（２）に示されるとおり、割り当てられていない拡散符号の各々に関する干渉推定値を導き出す。
【００８２】
ＲＸデータプロセッサ１６４内部で、データコンバイナ１３４０が、Ｒ個の受信アンテナにわたる逆拡散されたシンボルを組み合わせる。干渉コンバイナ１３４２が、例えば、式（３）に示されるとおり、Ｒ個の受信アンテナにわたる干渉推定値を組み合わせる。コンバイナ１３４０および／または１３４２は、ＭＲＣ（最大比合成）を実行することができ、より大きな信頼度を有するシンボル、例えば、干渉のより少ないシンボルに、より大きい重みを与えることができる。データ検出器１３４４が、ＣＤＭを使用して送信されたデータシンボルに関して、コヒーレントでない検出を実行する。図１３には示されていないが、ＲＸデータプロセッサ１６４は、ＣＤＭを使用して送信されたデータに関して、送信機ｍによってインタリーブおよび符号化が、それぞれ実行されている場合、逆インタリーブおよび復号化も実行することができる。
【００８３】
図１４は、ＲＸ空間プロセッサ１７０の実施形態を示す。Ｒ個のＤＦＴ装置１４１０ａないし１４１０ｒが、それぞれ、Ｒ個の逆多重化装置１５６ａないし１５６ｒから入力サンプルを受け取る。各ＤＦＴ装置１４１０が、各シンボル周期に関する入力サンプルに対してＤＦＴを実行して、そのシンボル周期に関する周波数領域値を得る。Ｒ個の逆多重化装置／チャネル推定器１４２０ａないし１４２０ｒが、それぞれ、ＤＦＴ装置１４１０ａないし１４１０ｒから周波数領域値を受け取る。各逆多重化装置１４２０は、データに関する周波数領域値（つまり、受信されたデータ値）を、Ｋ個のサブバンド空間プロセッサ１４３２ａないし１４３２ｋに供給する。
【００８４】
各チャネル推定器１４２０は、パイロットが、スクランブルおよびＣＤＭを使用して伝送されている場合、パイロットに関する周波数領域値（つまり、受信されたパイロット値）に対して、それぞれ、逆スクランブルおよび逆拡散を実行する。各チャネル推定器１４２０は、その送信機に関する受信されたパイロット値に基づき、各送信機に関するチャネル推定値を導き出す。空間フィルター行列の計算ユニット１４３４が、各タイムスロットにおける各サブバンドに関するチャネル応答行列Ｈ（ｋ，ｔ）を、そのサブバンド、およびそのタイムスロットを使用するすべての送信機に関するチャネル推定値に基づいて形成する。次に、計算ユニット１４３４は、チャネル応答行列Ｈ（ｋ，ｔ）に基づき、ＺＦ（ゼロ強制）技術、ＭＭＳＥ技術、またはＭＲＣ技術を使用して、各タイムスロットの各サブバンドに関する空間フィルター行列Ｍ（ｋ，ｔ）を導き出す。計算ユニット１４３４は、各タイムスロットにおけるＫ個のサブバンドに関するＫ個の空間フィルター行列を提供する。
【００８５】
各サブバンド空間プロセッサ１４３２が、そのプロセッサ１４３２のサブバンドに関する空間フィルター行列を受け取り、受信されたデータ値に対して、その空間フィルター行列を使用して受信機の空間処理を実行し、検出されたデータ値を提供する。逆多重化装置１４３６が、各送信機に関する検出されたデータ値を、検出されたＳＣ−ＦＤＭＡシンボル上にマップする。所与の送信機に関する検出されるＳＣ−ＦＤＭＡシンボルは、その送信機に関して受信機１５０によって取得され、受信機の空間処理を介してその他の送信機からの干渉が除去されたＳＣ−ＦＤＭＡシンボルである。ＳＣ−ＦＤＭＡ復調器１７２が、検出された各ＳＣ−ＦＤＭＡシンボルを処理し、データシンボル推定値をＲＸデータプロセッサ１７４に供給する。ＳＣ−ＦＤＭＡ復調器１７２は、割り当てられたサブバンドからのデータシンボル推定値のＩＤＦＴ／ＩＦＦＴ、等化、逆マッピングなどを実行することができる。また、ＳＣ−ＦＤＭＡ復調器１７２は、Ｍ個の送信機に関するデータシンボル推定値を、これらの送信機に割り当てられたトラフィックチャネルに基づき、Ｍ個のストリームにマップする。コントローラ１８０内部のＦＨ生成器が、各送信機によって使用されるサブバンドを、その送信機に割り当てられたホップパターンに基づいて決定する。ＲＸデータプロセッサ１７４が、各送信機に関するデータシンボル推定値のシンボル逆マッピング、逆インタリーブ、および復号化を行い、復号化されたデータを提供する。
【００８６】
図１４に示される実施形態の場合、受信機の処理は、受信機の空間処理およびＳＣ−ＦＤＭＡ復調を含む。受信機の空間処理は、周波数領域値に対して作用する。ＳＣ−ＦＤＭＡ復調は、周波数領域値を得るために入力サンプルに対してＤＦＴ装置１４１０によって実行されるＤＦＴ／ＦＦＴ、およびデータシンボル推定値を得るために、検出されたデータ値に対してＳＣ−ＦＤＭＡ復調器１７２によって実行されるＩＤＦＴ／ＩＦＦＴを含む。また、受信機の空間処理およびＳＣ−ＦＤＭＡ復調は、他の仕方で実行されることも可能である。
【００８７】
本明細書で説明される技術は、様々な手段によって実施されることが可能である。例えば、これらの技術は、ハードウェア、ソフトウェア、またはハードウェアとソフトウェアの組み合わせで実施されることが可能である。ハードウェア実施形態の場合、送信機における処理ユニットは、１つまたは複数のＡＳＩＣ（特定用途向け集積回路）、ＤＳＰ（デジタルシグナルプロセッサ）、ＤＳＰＤ（デジタル信号処理デバイス）、ＰＬＤ（プログラマブル論理デバイス）、ＦＰＧＡ（フィールドプログラマブルゲートアレイ）、プロセッサ、コントローラ、マイクロコントローラ、マイクロプロセッサ、電子デバイス、本明細書で説明される機能を実行するように設計された他の電子装置、または以上の組み合わせの内部に実装されることが可能である。受信機における処理ユニットもやはり、１つまたは複数のＡＳＩＣ、ＤＳＰ、プロセッサなどの内部に実装されることが可能である。
【００８８】
ソフトウェア実施形態の場合、これらの技術は、本明細書で説明される機能を実行するモジュール（例えば、プロシージャ、関数など）で実施されることが可能である。ソフトウェアコードは、メモリ（例えば、図１におけるメモリ１４２または１８２）の中に格納されて、プロセッサ（例えば、コントローラ１４０または１８０）によって実行されることが可能である。メモリ装置は、プロセッサ内部に実装されても、プロセッサの外部に実装されてもよい。
【００８９】
開示される実施形態の以上の説明は、任意の当業者が、本発明を作成する、または使用することを可能にするように提供されている。これらの実施形態の様々な変形形態が、当業者には直ちに明白となり、本明細書で定義される一般的な原理は、本発明の精神または範囲を逸脱することなく、他の実施形態にも適用されることが可能である。このため、本発明は、本明細書で示される実施形態に限定されず、本明細書で開示される原理、および新規な特徴と合致する最も広い範囲を与えられるべきものとする。
以下に本件出願当初の特許請求の範囲に記載された発明を付記する。
［Ｃ１］  下記を備える装置：
変調シンボルを生成し、拡散符号を使用してＣＤＭを実行し、前記変調シンボルに関するＳＣ−ＦＤＭＡシンボルを生成するように動作するプロセッサ；および、
前記プロセッサに結合されたメモリ。
［Ｃ２］  ［Ｃ１］記載の装置、この装置において、
前記プロセッサは、伝送のために少なくとも２つの送信機によって使用される少なくとも１つのシンボル周期にわたってＣＤＭを実行するように動作する。
［Ｃ３］  ［Ｃ１］記載の装置、この装置において、
前記プロセッサは、スクランブル符号を使用してスクランブルを実行するように動作する。
［Ｃ４］  異なるセクタには、異なるスクランブル符号が割り当てられる［Ｃ３］に記載の装置。
［Ｃ５］  ［Ｃ１］記載の装置、この装置において、
前記プロセッサは、複数のシンボルにまたがってＣＤＭを実行するように動作する。
［Ｃ６］  ［Ｃ１］記載の装置、この装置において、
前記プロセッサは、変調シンボルのシーケンスをＬ回、繰り返して、変調シンボルのＬ回繰り返されたシーケンスを、前記拡散符号のＬ個のチップと乗算して、スケーリングされた変調シンボルのＬ個のシーケンスを形成し、スケーリングされた変調シンボルの前記Ｌ個のシーケンスに関するＬ個のＳＣ−ＦＤＭＡシンボルを生成するように動作する、ここにおいて、Ｌは、前記拡散符号の長さである。
［Ｃ７］  ［Ｃ１］記載の装置、この装置において、
前記プロセッサは、各ＳＣ−ＦＤＭＡシンボルをＬ回、繰り返し、Ｌ回繰り返されたＳＣ−ＦＤＭＡシンボルを、前記拡散符号のＬ個のチップと乗算するように動作する、ここにおいて、Ｌは、前記拡散符号の長さである。
［Ｃ８］  前記プロセッサは、複数のサンプルにまたがってＣＤＭを実行するように動作する［Ｃ１］に記載の装置。
［Ｃ９］  ［Ｃ１］記載の装置、この装置において、
前記プロセッサは、少なくとも１つの変調シンボルのシーケンスをＬ回、繰り返し、少なくとも１つの変調シンボルのＬ回繰り返されるシーケンスを、前記拡散符号のＬ個のチップと乗算して、スケーリングされた変調シンボルのＬ個のシーケンスを形成し、前記スケーリングされた変調シンボルのＬ個のシーケンスのＳＣ−ＦＤＭＡシンボルを生成するように動作する、ここにおいて、Ｌは、前記拡散符号の長さである。
［Ｃ１０］  ［Ｃ１］記載の装置、この装置において、
前記プロセッサは、複数のシンボルと複数のサンプルの両方にまたがってＣＤＭを実行するように動作する。
［Ｃ１１］  ［Ｃ１］記載の装置、この装置において、
前記プロセッサは、変調シンボルをＬ回、繰り返し、前記Ｌ回繰り返された変調シンボルを、前記拡散符号のＬ個のチップと乗算して、Ｌ個のスケーリングされた変調シンボルを得て、前記Ｌ個のスケーリングされた変調シンボルに関して少なくとも２つのＳＣ−ＦＤＭＡシンボルを生成するように動作する、ここにおいて、Ｌは、前記拡散符号の長さである。
［Ｃ１２］  前記プロセッサは、複数の周波数サブバンドにまたがってＣＤＭを実行するように動作する［Ｃ１］に記載の装置。
［Ｃ１３］  少なくとも１つの拡散符号は、いずれの送信機にも割り当てられず、干渉推定のために予約される［Ｃ１］に記載の装置。
［Ｃ１４］  ［Ｃ１］記載の装置、この装置において、
前記プロセッサは、少なくとも２つのタイプのデータのための変調シンボルを生成し、前記少なくとも２つのタイプのデータのうち少なくとも１つのタイプのデータに関してＣＤＭを実行するように動作する。
［Ｃ１５］  ［Ｃ１］記載の装置、この装置において、
前記プロセッサは、トラフィックデータおよびシグナリングのための変調シンボルを生成し、シグナリングに関してＣＤＭを実行するように動作する。
［Ｃ１６］  ［Ｃ１］記載の装置、この装置において、
前記プロセッサは、少なくとも２つの異なる持続時間を有するＳＣ−ＦＤＭＡシンボルを生成するように動作する。
［Ｃ１７］  ［Ｃ１］記載の装置、この装置において、
前記プロセッサは、トラフィックデータおよびシグナリングのための変調シンボルを生成し、トラフィックデータのために第１の持続時間を有するＳＣ−ＦＤＭＡシンボルを生成し、シグナリングのために第２の持続時間を有するＳＣ−ＦＤＭＡシンボルを生成するように動作し、前記第２の持続時間は、前記第１の持続時間と比べて、より短い、またはより長い。
［Ｃ１８］  ［Ｃ１］記載の装置、この装置において、
前記プロセッサは、トラフィックデータおよびパイロットのための変調シンボルを生成し、トラフィックデータのために第１の持続時間を有するＳＣ−ＦＤＭＡシンボルを生成し、パイロットのために第２の持続時間を有するＳＣ−ＦＤＭＡシンボルを生成するように動作し、前記第２の持続時間は、前記第１の持続時間と比べて、より短い、またはより長い。
［Ｃ１９］  ［Ｃ１］記載の装置、この装置において、
前記プロセッサは、ＣＤＭなしに送信されるデータのために第１の持続時間を有するＳＣ−ＦＤＭＡシンボルを生成し、ＣＤＭを使用して送信されるデータのために第２の持続時間を有するＳＣ−ＦＤＭＡシンボルを生成するように動作し、前記第２の持続時間は、前記第１の持続時間と比べて、より短い、またはより長い。
［Ｃ２０］  さらに下記を備える［Ｃ１］記載の装置：
周波数ホッピングパターンに基づいて、異なるタイムスロットにおける伝送のために使用すべきサブバンドの異なる集合を決定するように動作するコントローラ。
［Ｃ２１］  下記を備える方法：
変調シンボルを生成すること；
拡散符号を使用してＣＤＭを実行すること；および、
前記変調シンボルに関するＳＣ−ＦＤＭＡシンボルを生成すること。
［Ｃ２２］  さらに下記を備える［Ｃ２１］に記載の方法：
スクランブル符号を使用してスクランブルを実行すること。
［Ｃ２３］  ［Ｃ２１］に記載の方法、ここにおいて、
前記拡散符号を使用してＣＤＭを前記実行することは、下記を備える：
複数のシンボルにまたがって、複数のサンプルにまたがって、または複数のサンプルと複数のシンボルの両方にまたがって、前記拡散符号を使用してＣＤＭを実行すること。
［Ｃ２４］  ［Ｃ２１］に記載の方法、ここにおいて、
前記拡散符号を使用してＣＤＭを前記実行することは、下記を備える：
伝送される少なくとも２つのタイプのデータのうち少なくとも１つのタイプのデータに関して、前記拡散符号を使用してＣＤＭを実行すること。
［Ｃ２５］  ［Ｃ２１］に記載の方法、ここにおいて、
前記ＳＣ−ＦＤＭＡシンボルを前記生成することは、下記を備える：
伝送される少なくとも２つのタイプのデータのために少なくとも２つの異なる持続時間を有するＳＣ−ＦＤＭＡシンボルを生成すること。
［Ｃ２６］  下記を備える装置：
変調シンボルを生成するための手段；
拡散符号を使用してＣＤＭを実行するための手段；および、
前記変調シンボルに関するＳＣ−ＦＤＭＡシンボルを生成するための手段。
［Ｃ２７］  さらに下記を備える［Ｃ２６］記載の装置：
スクランブル符号を使用してスクランブルを実行するための手段。
［Ｃ２８］  ［Ｃ２６］記載の装置、この装置において、
前記拡散符号を使用してＣＤＭを前記実行するための前記手段は、下記を備える：
複数のシンボルにまたがって、複数のサンプルにまたがって、または複数のサンプルと複数のシンボルの両方にまたがって、前記拡散符号を使用してＣＤＭを実行するための手段。
［Ｃ２９］  ［Ｃ２６］に記載の装置、この装置において、
前記拡散符号を使用してＣＤＭを前記実行するための前記手段は、下記を備える：
伝送される少なくとも２つのタイプのデータのうち少なくとも１つのタイプのデータに関して、前記拡散符号を使用してＣＤＭを実行するための手段。
［Ｃ３０］  ［Ｃ２６］に記載の装置、この装置において、
前記ＳＣ−ＦＤＭＡシンボルを生成するための前記手段は、下記を備える：
伝送される少なくとも２つのタイプのデータのために少なくとも２つの異なる持続時間を有するＳＣ−ＦＤＭＡシンボルを生成するための手段。
［Ｃ３１］  下記を備える装置：
ＳＣ−ＦＤＭＡシンボルを受信し、前記ＳＣ−ＦＤＭＡシンボルに対してＳＣ−ＦＤＭＡ復調を実行し、ＣＤＭを使用して伝送されたＳＣ−ＦＤＭＡシンボルに関して、拡散符号を使用して逆拡散を実行するように動作するプロセッサ；および、
前記プロセッサに結合されたメモリ。
［Ｃ３２］  ［Ｃ３１］記載の装置、この装置において、
複数の送信機が、伝送のために前記送信機に割り当てられた少なくとも１つのシンボル周期において、ＣＤＭを使用してＳＣ−ＦＤＭＡシンボルを伝送する。
［Ｃ３３］  ［Ｃ３１］記載の装置、この装置において、
前記プロセッサは、ＣＤＭを使用して伝送される前記ＳＣ−ＦＤＭＡシンボルに関して、複数のシンボルにまたがって、複数のサンプルにまたがって、または複数のシンボルと複数のサンプルの両方にまたがって逆拡散を実行するように動作する。
［Ｃ３４］  前記プロセッサは、スクランブル符号を使用して逆スクランブルを実行するように動作する［Ｃ３１］に記載の装置。
［Ｃ３５］  ［Ｃ３１］記載の装置、この装置において、
前記プロセッサは、いずれの送信機にも割り当てられていない少なくとも１つの拡散符号に基づいて、干渉推定値を導き出すように動作する。
［Ｃ３６］  前記プロセッサは、前記干渉推定値に基づいてデータ検出を実行するように動作する［Ｃ３５］に記載の装置。
［Ｃ３７］  ［Ｃ３５］記載の装置、この装置において、
前記プロセッサは、前記干渉推定値を使用してチャネル推定値を導き出し、前記チャネル推定値および前記干渉推定値に基づいてデータ検出を実行するように動作する。
［Ｃ３８］  ［Ｃ３１］に記載の装置、この装置において、
前記プロセッサは、複数のアンテナに関する逆拡散されたシンボルを取得し、前記複数のアンテナにわたる前記逆拡散されたシンボルを組み合わせ、前記複数のアンテナにわたる組み合わせの後に、データ検出を実行するように動作する。
［Ｃ３９］  ［Ｃ３１］に記載の装置、この装置において、
前記プロセッサは、或るシンボル周期において少なくとも２つの送信機によってＣＤＭなしに伝送されたＳＣ−ＦＤＭＡシンボルに関する受信側空間処理を実行するように動作する。
［Ｃ４０］  さらに下記を備える［Ｃ３１］記載の装置：
周波数ホッピングパターンに基づき、異なるタイムスロットにおける伝送のために使用されるサブバンドの異なる集合を決定するように動作するコントローラ。
［Ｃ４１］  下記を備える方法：
ＳＣ−ＦＤＭＡシンボルを受信すること；
前記ＳＣ−ＦＤＭＡシンボルに対してＳＣ−ＦＤＭＡ復調を実行すること；および、
ＣＤＭを使用して伝送されたＳＣ−ＦＤＭＡシンボルに関して、拡散符号を使用して逆拡散を実行すること。
［Ｃ４２］  ［Ｃ４１］記載の方法、ここにおいて、
前記拡散符号を使用して逆拡散を前記実行することは、下記を備える：
ＣＤＭを使用して伝送される前記ＳＣ−ＦＤＭＡシンボルに関して、複数のシンボルにまたがって、複数のサンプルにまたがって、または複数のシンボルと複数のサンプルの両方にまたがって前記拡散符号を使用して逆拡散を実行すること。
［Ｃ４３］  さらに下記を備える［Ｃ４１］記載の方法：
スクランブル符号を使用して逆スクランブルを実行すること。
［Ｃ４４］  さらに下記を備える［Ｃ４１］記載の方法：
いずれの送信機にも割り当てられていない少なくとも１つの拡散符号に基づいて、干渉推定値を導き出すこと。
［Ｃ４５］  下記を備える装置：
ＳＣ−ＦＤＭＡシンボルを受信するための手段；
前記ＳＣ−ＦＤＭＡシンボルに対してＳＣ−ＦＤＭＡ復調を実行するための手段；および、
ＣＤＭを使用して伝送されたＳＣ−ＦＤＭＡシンボルに関して、拡散符号を使用して逆拡散を実行するための手段。
［Ｃ４６］  さらに下記を備える［Ｃ４５］記載の装置：
スクランブル符号を使用して逆スクランブルを実行するための手段。
［Ｃ４７］  ［Ｃ４５］に記載の装置、この装置において、
前記拡散符号を使用して逆拡散を実行するための前記手段は、下記を備える：
ＣＤＭを使用して伝送される前記ＳＣ−ＦＤＭＡシンボルに関して、複数のシンボルにまたがって、複数のサンプルにまたがって、または複数のシンボルと複数のサンプルの両方にまたがって前記拡散符号を使用して逆拡散を実行するための手段。
［Ｃ４８］  いずれの送信機にも割り当てられていない少なくとも１つの拡散符号に基づいて、干渉推定値を導き出すための手段をさらに含む［Ｃ４５］に記載の装置。
【図１】
0005571131.tif 000012
【図２Ａ】
0005571131.tif 000013
【図２Ｂ】
0005571131.tif 000014
【図２Ｃ】
0005571131.tif 000015
【図３Ａ】
0005571131.tif 000016
【図３Ｂ】
0005571131.tif 000017
【図４】
0005571131.tif 000018
【図５】
0005571131.tif 000019
【図６】
0005571131.tif 000020
【図７】
0005571131.tif 000021
【図８】
0005571131.tif 000022
【図９】
0005571131.tif 000023
【図１０】
0005571131.tif 000024
【図１１】
0005571131.tif 000025
【図１２】
0005571131.tif 000026
【図１３】
0005571131.tif 000027
【図１４】
0005571131.tif 000028